(57)【特許請求の範囲】
【請求項１】
無線通信システムにおける端末のＶ２Ｘ（ｖｅｈｉｃｌｅ  ｔｏ  ｅｖｅｒｙｔｈｉｎｇ）通信方法であって、
基地局から、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、第１のＴＴＩ（Ｔｒａｎｓｍｉｓｓｉｏｎ  Ｔｉｍｅ  Ｉｎｔｅｒｖａｌ）基盤の第１の下向きリンク制御情報（Ｄｏｗｎｌｉｎｋ  Ｃｏｎｔｒｏｌ  Ｉｎｆｏｒｍａｔｉｏｎ：ＤＣＩ）及び第２のＴＴＩ基盤の第２のＤＣＩのうちの少なくとも１つを受信し、
前記第１のＤＣＩ及び前記第２のＤＣＩの少なくとも１つに基づいて、前記第１のＴＴＩ基盤の送信及び前記第２のＴＴＩ基盤の送信のうちの１つの方式で前記Ｖ２Ｘ通信を実行し、
前記第１のＴＴＩは、前記第２のＴＴＩより短く、
前記第１のＤＣＩに設定される第１の無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）と前記第２のＤＣＩに設定される第２のＲＮＴＩとは互いに異なり、
前記端末は、前記第１のＲＮＴＩ及び前記第２のＲＮＴＩのうちの１つに基づいて、前記第１のＴＴＩ基盤の送信又は前記第２のＴＴＩ基盤の送信のうち何れが許容されるかを決定し、及び、
前記第１のＴＴＩ基盤の送信に関する端末補助情報（Ｕｓｅｒ  Ｅｑｕｉｐｍｅｎｔ  Ａｓｓｉｓｔａｎｃｅ  ｉｎｆｏｒｍａｔｉｏｎ）と、前記第２のＴＴＩ基盤の送信に関する端末補助情報（Ｕｓｅｒ  Ｅｑｕｉｐｍｅｎｔ  Ａｓｓｉｓｔａｎｃｅ  ｉｎｆｏｒｍａｔｉｏｎ）とは、各々独立的に報告されることを特徴とする、方法。
【請求項２】
前記第１のＤＣＩ及び前記第２のＤＣＩは、各々動的スケジューリング（ｄｙｎａｍｉｃ  ｓｃｈｅｄｕｌｉｎｇ）又は半静的スケジューリング（ｓｅｍｉ−ｐｅｒｓｉｓｔｅｎｔ  ｓｃｈｅｄｕｌｉｎｇ）のためのＤＣＩであることを特徴とする、請求項１に記載の方法。
【請求項３】
前記第１のＤＣＩのサイズと前記第２のＤＣＩのサイズとは同じであることを特徴とする、請求項１に記載の方法。
【請求項４】
前記第１のＤＣＩと前記第２のＤＣＩとを区分するフラグ（ｆｌａｇ）が前記第１のＤＣＩに含まれることを特徴とする、請求項１に記載の方法。
【請求項５】
前記第１のＤＣＩを受信した場合、初期送信が行われる時点決定又はサイドリンク（Ｓｉｄｅｌｉｎｋ）インデックスフィールドは、前記第２のＴＴＩ基盤で解釈されることを特徴とする、請求項１に記載の方法。
【請求項６】
煩雑度（Ｃｏｎｇｅｓｔｉｏｎ  Ｌｅｖｅｌ）別に前記第１のＴＴＩ基盤の送信の許容範囲が異なるように設定されることを特徴とする、請求項１に記載の方法。
【請求項７】
前記端末が前記Ｖ２Ｘ通信を実行する際、サブチャネルグループ単位に前記第１のＴＴＩ基盤の前記Ｖ２Ｘ通信に対するスケジューリングを行い、
前記サブチャネルグループは、Ｖ２Ｘ資源プールを構成するサブチャネルが予め定義された個数の分だけ集合されたことを特徴とする、請求項１に記載の方法。
【請求項８】
前記スケジューリングは、前記第１のＴＴＩ基盤のＰＳＣＣＨ（Ｐｈｙｓｉｃａｌ  Ｓｉｄｅｌｉｎｋ  Ｃｏｎｔｒｏｌ  Ｃｈａｎｎｅｌ）フィールド構成及び前記第１のＴＴＩ基盤のＰＳＣＣＨを構成する資源ブロック個数が前記第２のＴＴＩ基盤のＰＳＣＣＨと同様に設定される場合に行うことを特徴とする、請求項７に記載の方法。
【請求項９】
Ｖ２Ｘ資源プール上で前記第１のＴＴＩ基盤の送信及び前記第２のＴＴＩ基盤の送信が全て許容された場合、前記第１のＴＴＩ基盤のＰＳＳＣＨ（Ｐｈｙｓｉｃａｌ  Ｓｉｄｅｌｉｎｋ  Ｓｈａｒｅｄ  Ｃｈａｎｎｅｌ）上に前記第１のＴＴＩ基盤の送信であることを指示するフィールドを含むことを特徴とする、請求項１に記載の方法。
【請求項１０】
前記端末が前記Ｖ２Ｘ通信を実行する際、ＰＳＣＣＨの初期送信及び再送信間の時間間隔フィールドは、前記第２のＴＴＩ基盤で解釈されることを特徴とする、請求項９に記載の方法。
【請求項１１】
Ｖ２Ｘ資源プールで前記第１のＴＴＩ基盤の送信のみ許容された場合、及び、前記端末が前記Ｖ２Ｘ通信を実行する際、ＰＳＣＣＨの初期送信及び再送信間の時間間隔フィールドは、前記第１のＴＴＩ基盤で解釈されることを特徴とする、請求項１に記載の方法。
【請求項１２】
前記第１のＤＣＩには、Ｖ２Ｘ資源プールで許容された送信周期及び前記第１のＴＴＩ基盤の送信が可能な集合された（ａｇｇｒｅｇａｔｅｄ）前記第１のＴＴＩの個数を指示するフィールドが含まれることを特徴とする、請求項１に記載の方法。
【請求項１３】
前記端末が前記Ｖ２Ｘ通信を実行する際、前記Ｖ２Ｘ資源プールで許容された送信周期及び前記第１のＴＴＩ基盤の送信が可能な集合された（ａｇｇｒｅｇａｔｅｄ）前記第１のＴＴＩの個数を指示するフィールドに基づいて資源排除を行うことを特徴とする、請求項１２に記載の方法。
【請求項１４】
前記第１のＴＴＩ基盤のＰＳＣＣＨのサイズが前記第１のＴＴＩ基盤のＰＳＳＣＨ（Ｐｈｙｓｉｃａｌ  Ｓｉｄｅｌｉｎｋ  Ｓｈａｒｅｄ  Ｃｈａｎｎｅｌ）のサイズより大きい場合、前記第１のＴＴＩ基盤のＰＳＣＣＨに前記ＰＳＣＣＨ送信区間に該当する複数個の前記第１のＴＴＩの中に前記ＰＳＳＣＨ送信に使用される第１のＴＴＩのインデックスを指示する指示子が含まれることを特徴とする、請求項１に記載の方法。
【請求項１５】
端末（Ｕｓｅｒ  ｅｑｕｉｐｍｅｎｔ；ＵＥ）であって、
無線信号を送信及び受信するトランシーバーと、
前記トランシーバーと結合して動作するプロセッサと、を備え、
前記プロセッサは、
基地局から、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、第１のＴＴＩ（Ｔｒａｎｓｍｉｓｓｉｏｎ  Ｔｉｍｅ  Ｉｎｔｅｒｖａｌ）基盤の第１の下向きリンク制御情報（Ｄｏｗｎｌｉｎｋ  Ｃｏｎｔｒｏｌ  Ｉｎｆｏｒｍａｔｉｏｎ：ＤＣＩ）及び第２のＴＴＩ基盤の第２のＤＣＩのうちの少なくとも１つを受信し、
前記第１のＤＣＩ及び前記第２のＤＣＩの少なくとも１つに基づいて、前記第１のＴＴＩ基盤の送信及び前記第２のＴＴＩ基盤の送信のうちの１つの方式でＶ２Ｘ通信を実行し、
前記第１のＴＴＩは、前記第２のＴＴＩより短く、
前記第１のＤＣＩに設定される第１の無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）と前記第２のＤＣＩに設定される第２のＲＮＴＩとは互いに異なり、
前記端末は、前記第１のＲＮＴＩ及び前記第２のＲＮＴＩのうちの１つに基づいて、前記第１のＴＴＩ基盤の送信又は前記第２のＴＴＩ基盤の送信のうち何れが許容されるかを決定し、及び、
前記第１のＴＴＩ基盤の送信に関する端末補助情報（Ｕｓｅｒ  Ｅｑｕｉｐｍｅｎｔ  Ａｓｓｉｓｔａｎｃｅ  ｉｎｆｏｒｍａｔｉｏｎ）と、前記第２のＴＴＩ基盤の送信に関する端末補助情報（Ｕｓｅｒ  Ｅｑｕｉｐｍｅｎｔ  Ａｓｓｉｓｔａｎｃｅ  ｉｎｆｏｒｍａｔｉｏｎ）とは、各々独立的に報告されることを特徴とする、端末。
【発明の詳細な説明】
【技術分野】
【０００１】
本発明は、無線通信に関し、より詳細には、無線通信システムにおける端末のＶ２Ｘ通信方法及び上記方法を利用する端末に関する。
【背景技術】
【０００２】
ＩＴＵ−Ｒ（International Telecommunication Union Radio communication sector）では３世帯以後の次世代移動通信システムであるＩＭＴ（International Mobile Telecommunication）−Ａｄｖａｎｃｅｄの標準化作業を進行している。ＩＭＴ−Ａｄｖａｎｃｅｄは停止及び低速移動状態で１Ｇｂｐｓ、高速移動状態で１００Ｍｂｐｓのデータ転送率でＩＰ（Internet Protocol）基盤のマルチメディアサービス支援を目標とする。
【０００３】
３ＧＰＰ（3rd Generation Partnership Project）はＩＭＴ−Ａｄｖａｎｃｅｄの要求事項を満たすシステム標準にＯＦＤＭＡ（Orthogonal Frequency Division Multiple Access）／ＳＣ−ＦＤＭＡ（Single Carrier-Frequency Division Multiple Access）転送方式基盤であるＬＴＥ（Long Term Evolution）を改善したＬＴＥ−Ａｄｖａｎｃｅｄ（ＬＴＥ−Ａ）を準備している。ＬＴＥ−ＡはＩＭＴ−Ａｄｖａｎｃｅｄのための有力な候補の１つである。
【０００４】
最近、装置間の直接通信を行うＤ２Ｄ（Device-to-Device）技術に対する関心が高まっている。特に、Ｄ２Ｄは公衆安全ネットワーク（public safety network）のための通信技術として注目を受けている。商業的通信ネットワークは速くＬＴＥに変化しているが、既存の通信規格との衝突問題と費用面で現在の公衆安全ネットワークは主に２Ｇ技術に基盤している。このような技術間隙と改善されたサービスに対する要求は公衆安全ネットワークを改善しようとする努力に繋がっている。
【０００５】
前述したＤ２Ｄ通信を拡張して車両間の信号送受信に適用することができ、車両（VEHICLE）と関連した通信を特別にＶ２Ｘ（VEHICLE-TO-EVERYTHING）通信と称する。Ｖ２Ｘで‘Ｘ’という用語は PEDESTRIAN (COMMUNICATION BETWEEN A VEHICLE AND A DEVICE CARRIED BY AN INDIVIDUAL （例： HANDHELD TERMINAL CARRIED BY A PEDESTRIAN, CYCLIST, DRIVER OR PASSENGER ）、この際、Ｖ２ＸはＶ２Ｐと表示することができる）、 VEHICLE (COMMUNICATION BETWEEN VEHICLES) (V2V), INFRASTRUCTURE/NETWORK (COMMUNICATION BETWEEN A VEHICLE AND A ROADSIDE UNIT (RSU)/NETWORK (例) RSU IS A TRANSPORTATION INFRASTRUCTURE ENTITY (例) AN ENTITY TRANSMITTING SPEED NOTIFICATIONS) IMPLEMENTED IN AN eNB OR A STATIONARY UE)) (V2I/N) などを意味する。歩行者（または、人）が所持した（Ｖ２Ｐ通信関連）デバイスを“Ｐ−ＵＥ”と命名し、車両（VEHICLE）に設置された（Ｖ２Ｘ通信関連）デバイスを“Ｖ−ＵＥ”と命名する。本発明で、‘エンティティー（ENTITY）’用語はＰ−ＵＥ、Ｖ−ＵＥ、ＲＳＵ（/NETWORK/INFRASTRUCTURE）のうちの少なくとも１つとして解析できる。
【０００６】
次世代Ｖ２Ｘ通信システムでは、パケットデータ遅延（ｌａｔｅｎｃｙ）を減らすための方法のうち１つとして、既存の１ｍｓ（ｍｉｌｌｉｓｅｃｏｎｄ）より短いＴＴＩ（Ｓｈｏｒｔ−Ｔｒａｎｓｍｉｓｓｉｏｎ  Ｔｉｍｅ  Ｉｎｔｅｒｖａｌ；Ｓ−ＴＴＩ；ｓ−ＴＴＩ）に基づいたＶ２Ｘ通信方法が考慮されている。このとき、ｓ−ＴＴＩは、既存のＴＴＩよりシンボルの個数が減る可能性があるため、ｓ−ＴＴＩに基づいたＶ２Ｘ通信が行われる場合に、ｓ−ＴＴＩ基盤のＰＳＣＣＨの解釈方法、フィールド構成、ペイロードのサイズの設定などが問題になり得る。
【０００７】
したがって、本発明においては、ｓ−ＴＴＩ導入によるＰＳＣＣＨの効率的な制御及び解釈を介してのＶ２Ｘ通信方法を提案する。
【発明の概要】
【発明が解決しようとする課題】
【０００８】
本発明が解決しようとする技術的課題は、無線通信システムにおける端末のＶ２Ｘ通信方法及び上記方法を利用する端末を提供することである。
【課題を解決するための手段】
【０００９】
一側面において、無線通信システムにおける端末のＶ２Ｘ（ｖｅｈｉｃｌｅ  ｔｏ  ｅｖｅｒｙｔｈｉｎｇ）通信方法において、基地局からＰＤＣＣＨ（Ｐｈｙｓｉｃａｌ  Ｄｏｗｎｌｉｎｋ  Ｃｏｎｔｒｏｌ  Ｃｈａｎｎｅｌ）を介して前記第１のＴＴＩ（Ｔｒａｎｓｍｉｓｓｉｏｎ  Ｔｉｍｅ  Ｉｎｔｅｒｖａｌ）基盤の第１の下向きリンク制御情報（Ｄｏｗｎｌｉｎｋ  Ｃｏｎｔｒｏｌ  Ｉｎｆｏｒｍａｔｉｏｎ；ＤＣＩ）及び前記第２のＴＴＩ基盤の第２のＤＣＩのうち、少なくとも１つのＤＣＩを受信し、前記少なくとも１つのＤＣＩに基づいて、前記第１のＴＴＩ基盤の送信及び前記第２のＴＴＩ基盤の送信のうち１つの方式で前記Ｖ２Ｘ通信を行い、前記第１のＴＴＩは、前記第２のＴＴＩより短く、前記第１のＤＣＩに設定される第１の無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）と前記第２のＤＣＩに設定される第２のＲＮＴＩとは互いに異なり、前記第１のＲＮＴＩ及び前記第２のＲＮＴＩのうち１つに基づいて、前記第１のＴＴＩ基盤の送信及び前記第２のＴＴＩ基盤の送信のうちいずれが許容されるかを決定することを特徴とする。
【００１０】
前記第１のＤＣＩ及び前記第２のＤＣＩは、各々動的スケジューリング（ｄｙｎａｍｉｃ  ｓｃｈｅｄｕｌｉｎｇ）または半静的スケジューリング（ｓｅｍｉ−ｐｅｒｓｉｓｔｅｎｔ  ｓｃｈｅｄｕｌｉｎｇ）のためのＤＣＩでありうる。
【００１１】
前記第１のＤＣＩのサイズと前記第２のＤＣＩのサイズとは同じでありうる。
【００１２】
前記第１のＤＣＩと前記第２のＤＣＩとを区分するフラグ（ｆｌａｇ）が前記第１のＤＣＩに含まれることができる。
【００１３】
前記第１のＤＣＩを受信した場合、初期送信が行われる時点決定またはサイドリンク（Ｓｉｄｅｌｉｎｋ）インデックスフィールドは、前記第２のＴＴＩ基盤で解釈されることができる。
【００１４】
前記第１のＴＴＩ基盤の送信に関する端末補助情報（Ｕｓｅｒ  Ｅｑｕｉｐｍｅｎｔ  Ａｓｓｉｓｔａｎｃｅ  ｉｎｆｏｒｍａｔｉｏｎ）は、独立的に報告されることができる。
【００１５】
前記Ｖ２Ｘ通信実行の際、サブチャネルグループ単位に前記第１のＴＴＩ基盤の前記Ｖ２Ｘ通信に対するスケジューリングを行い、前記サブチャネルグループは、Ｖ２Ｘ資源プールを構成するサブチャネルが予め定義された個数の分だけ集合されたものでありうる。
【００１６】
前記スケジューリングは、前記第１のＴＴＩ基盤のＰＳＣＣＨ（Ｐｈｙｓｉｃａｌ  Ｓｉｄｅｌｉｎｋ  Ｃｏｎｔｒｏｌ  Ｃｈａｎｎｅｌ）フィールド構成及び前記第１のＴＴＩ基盤のＰＳＣＣＨを構成する資源ブロック個数が前記第２のＴＴＩ基盤のＰＳＣＣＨと同様に設定される場合に行うことができる。
【００１７】
Ｖ２Ｘ資源プール上で前記第１のＴＴＩ基盤の送信及び前記第２のＴＴＩ基盤の送信が全て許容された場合、前記第１のＴＴＩ基盤のＰＳＳＣＨ（Ｐｈｙｓｉｃａｌ  Ｓｉｄｅｌｉｎｋ  Ｓｈａｒｅｄ  Ｃｈａｎｎｅｌ）上に前記第１のＴＴＩ基盤の送信であることを指示するフィールドを含むことができる。
【００１８】
前記Ｖ２Ｘ通信実行の際、ＰＳＣＣＨの初期送信及び再送信間の時間間隔フィールドは、前記第２のＴＴＩ基盤で解釈されることができる。
【００１９】
Ｖ２Ｘ資源プール上で前記第１のＴＴＩ基盤の送信のみ許容された場合、前記Ｖ２Ｘ通信実行の際、ＰＳＣＣＨの初期送信及び再送信間の時間間隔フィールドは、前記第１のＴＴＩ基盤で解釈されることができる。
【００２０】
前記第１のＤＣＩには、前記Ｖ２Ｘプールで許容された送信周期及び前記第１のＴＴＩ基盤の送信が可能な集合された（ａｇｇｒｅｇａｔｅｄ）前記第１のＴＴＩの個数を指示するフィールドが含まれ得る。
【００２１】
前記Ｖ２Ｘ通信実行の際、前記Ｖ２Ｘプールで許容された送信周期及び前記第１のＴＴＩ基盤の送信が可能な集合された（ａｇｇｒｅｇａｔｅｄ）前記第１のＴＴＩの個数を指示するフィールドに基づいて資源排除を行うことができる。
【００２２】
前記第１のＴＴＩ基盤のＰＳＣＣＨのサイズが前記第１のＴＴＩ基盤のＰＳＳＣＨ（Ｐｈｙｓｉｃａｌ  Ｓｉｄｅｌｉｎｋ  Ｓｈａｒｅｄ  Ｃｈａｎｎｅｌ）のサイズより大きい場合、前記第１のＴＴＩ基盤のＰＳＣＣＨに前記ＰＳＣＣＨ送信区間に該当する複数個の前記第１のＴＴＩの中に前記ＰＳＳＣＨ送信に使用される第１のＴＴＩのインデックスを指示する指示子が含まれ得る。
【００２３】
煩雑度（Ｃｏｎｇｅｓｔｉｏｎ  Ｌｅｖｅｌ）別に前記第１のＴＴＩ基盤の送信の許容範囲が異なるように設定されることができる。
【００２４】
他の側面で提供される端末（Ｕｓｅｒ  ｅｑｕｉｐｍｅｎｔ；ＵＥ）は、無線信号を送信及び受信するトランシーバー及び前記トランシーバーと結合して動作するプロセッサを備え、前記プロセッサは、基地局からＰＤＣＣＨ（Ｐｈｙｓｉｃａｌ  Ｄｏｗｎｌｉｎｋ  Ｃｏｎｔｒｏｌ  Ｃｈａｎｎｅｌ）を介して前記第１のＴＴＩ（Ｔｒａｎｓｍｉｓｓｉｏｎ  Ｔｉｍｅ  Ｉｎｔｅｒｖａｌ）基盤の第１の下向きリンク制御情報（Ｄｏｗｎｌｉｎｋ  Ｃｏｎｔｒｏｌ  Ｉｎｆｏｒｍａｔｉｏｎ；ＤＣＩ）及び前記第２のＴＴＩ基盤の第２のＤＣＩのうち、少なくとも１つのＤＣＩを受信し、前記少なくとも１つのＤＣＩに基づいて、前記第１のＴＴＩ基盤の送信及び前記第２のＴＴＩ基盤の送信のうち１つの方式で前記Ｖ２Ｘ通信を行い、前記第１のＴＴＩは、前記第２のＴＴＩより短く、前記第１のＤＣＩに設定される第１の無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）と前記第２のＤＣＩに設定される第２のＲＮＴＩとは互いに異なり、前記第１のＲＮＴＩ及び前記第２のＲＮＴＩのうち１つに基づいて、前記第１のＴＴＩ基盤の送信及び前記第２のＴＴＩ基盤の送信のうちいずれが許容されるかを決定することを特徴とする。
【発明の効果】
【００２５】
本発明によれば、ｓ−ＴＴＩ導入によってｓ−ＴＴＩ基盤のＶ２Ｘ通信が行われる場合に、ＰＳＣＣＨペイロードサイズ調節、ＰＳＣＣＨフィールドの効率的な構成設定及び解釈に基づいたＶ２Ｘ通信方法を提供して、ｓ−ＴＴＩの導入によるｓ−ＴＴＩ基盤Ｖ２Ｘ通信及びｌ−ＴＴＩ基盤Ｖ２Ｘ通信が共存する場合に端末の円滑なＶ２Ｘ通信が保障され得る。
【図面の簡単な説明】
【００２６】
【図１】図１は、無線通信システムを例示する。
【図２】図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。
【図３】図３は、制御平面（ｃｏｎｔｒｏｌ  ｐｌａｎｅ）に対する無線プロトコル構造を示したブロック図である。
【図４】図４は、ＮＲが適用される次世代無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【図５】図５は、ＮＧ−ＲＡＮと５ＧＣとの間の機能的分割を例示する。
【図６】図６は、Ｖ２ＸまたはＤ２Ｄ通信を遂行する端末を例示する。
【図７】図７は、Ｖ２Ｘ／Ｄ２Ｄ関連した転送モード（transmission mode：ＴＭ）に従う端末動作を例示する。
【図８】図８は、資源単位の構成例を示す。
【図９】図９は、Ｓ−ＴＴＩとＬ−ＴＴＩの一例を概略的に図示したものである。
【図１０】図１０は、Ｓ−ＴＴＩとＬ−ＴＴＩの他の例を概略的に図示したものである。
【図１１】図１１は、Ｓ−ＴＴＩとＬ−ＴＴＩのさらに他の例を概略的に図示したものである。
【図１２】図１２は、本発明の一実施形態に係る、端末のＶ２Ｘ通信方法の順序図である。
【図１３】図１３は、（規則＃Ｃ−１）及び（規則＃Ｃ−２）によるＶ２Ｘ通信方法を例示する。
【図１４】図１４は、本発明の一実施形態に係る、Ｖ２Ｘ通信のためのＶ２Ｘ資源プール上の資源排除方法を例示する。
【図１５】図１５は、本発明の実施形態が実現される通信装置を示したブロック図である。
【図１６】図１６は、プロセッサに含まれる装置の一例を示すブロック図である。
【発明を実施するための形態】
【００２７】
図１は、無線通信システムを例示する。これは、Ｅ-ＵＴＲＡＮ（Ｅｖｏｌｖｅｄ-ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ-Ａシステムと呼ばれることができる。
【００２８】
Ｅ-ＵＴＲＡＮは、端末１０（Ｕｓｅｒ  Ｅｑｕｉｐｍｅｎｔ、ＵＥ）に制御平面（ｃｏｎｔｒｏｌ  ｐｌａｎｅ）とユーザ平面（ｕｓｅｒ  ｐｌａｎｅ）を提供する基地局２０（Ｂａｓｅ  Ｓｔａｔｉｏｎ、ＢＳ）とを含む。端末１０は、固定されるか、または移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることができる。基地局２０は、端末１０と通信する固定された支点（ｆｉｘｅｄ  ｓｔａｔｉｏｎ）をいい、ｅＮＢ（ｅｖｏｌｖｅｄ-ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００２９】
基地局２０は、Ｘ２インタフェースを介して互いに接続されることができる。基地局２０は、Ｓ１インタフェースを介してＥＰＣ（Ｅｖｏｌｖｅｄ Ｐａｃｋｅｔ  Ｃｏｒｅ）３０、さらに詳細には、Ｓ１-ＭＭＥを介してＭＭＥ（Ｍｏｂｉｌｉｔｙ  Ｍａｎａｇｅｍｅｎｔ  Ｅｎｔｉｔｙ）とＳ１-Ｕを介してＳ-ＧＷ（Ｓｅｒｖｉｎｇ  Ｇａｔｅｗａｙ）と接続される。
【００３０】
ＥＰＣ３０は、ＭＭＥ、Ｓ-ＧＷ及びＰ-ＧＷ（Ｐａｃｋｅｔ  Ｄａｔａ  Ｎｅｔｗｏｒｋ-Ｇａｔｅｗａｙ）から構成される。ＭＭＥは、端末の接続情報または端末の能力に関する情報を有しており、このような情報は、端末の移動性管理に主に使用される。Ｓ-ＧＷは、Ｅ-ＵＴＲＡＮを終端点として有するゲートウェイであり、Ｐ-ＧＷは、ＰＤＮを終端点として有するゲートウェイである。
【００３１】
端末とネットワークとの間の無線インタフェースプロトコル（Ｒａｄｉｏ  Ｉｎｔｅｒｆａｃｅ  Ｐｒｏｔｏｃｏｌ）の階層は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１階層）、Ｌ２（第２階層）、Ｌ３（第３階層）に区分されることができるが、この中で第１階層に属する物理階層は、物理チャネル（Ｐｈｙｓｉｃａｌ  Ｃｈａｎｎｅｌ）を利用した情報送信サービス（Ｉｎｆｏｒｍａｔｉｏｎ  Ｔｒａｎｓｆｅｒ  Ｓｅｒｖｉｃｅ）を提供し、第３階層に位置するＲＲＣ（Ｒａｄｉｏ  Ｒｅｓｏｕｒｃｅ  Ｃｏｎｔｒｏｌ）階層は、端末とネットワークとの間に無線資源を制御する役割を行う。このために、ＲＲＣ階層は、端末と基地局との間のＲＲＣメッセージを交換する。
【００３２】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。図３は、制御平面（ｃｏｎｔｒｏｌ  ｐｌａｎｅ）に対する無線プロトコル構造を示したブロック図である。ユーザ平面は、ユーザデータ送信のためのプロトコルスタック（ｐｒｏｔｏｃｏｌ  ｓｔａｃｋ）で、制御平面は、制御信号送信のためのプロトコルスタックである。
【００３３】
図２及び３を参照すると、物理階層（ＰＨＹ（ｐｈｙｓｉｃａｌ）  ｌａｙｅｒ）は、物理チャネル（ｐｈｙｓｉｃａｌ  Ｃｈａｎｎｅｌ）を利用して上位階層に情報送信サービス（ｉｎｆｏｒｍａｔｉｏｎ  tｒａｎｓｆｅｒ  sｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とは送信チャネル（ｔｒａｎｓｐｏｒｔ  ｃｈａｎｎｅｌ）を介して接続されている。送信チャネルを介してＭＡＣ階層と物理階層との間にデータが移動する。送信チャネルは、無線インタフェースを介してデータがどのようにどんな特徴で送信されるかによって分類される。
【００３４】
互いに異なる物理階層の間、すなわち送信機と受信機の物理階層の間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されることができ、時間と周波数を無線資源として活用する。
【００３５】
ＭＡＣ階層の機能は、論理チャネルと送信チャネルとの間のマッピング及び論理チャネルに属するＭＡＣ  ＳＤＵ（ｓｅｒｖｉｃｅ  ｄａｔａ  ｕｎｉｔ）の送信チャネル上へ物理チャネルに提供される送信ブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００３６】
ＲＬＣ階層の機能は、ＲＬＣ  ＳＤＵの接続（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラー（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の３通りの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３７】
ＲＲＣ（Ｒａｄｉｏ  Ｒｅｓｏｕｒｃｅ  Ｃｏｎｔｒｏｌ）階層は、制御平面においてのみ定義される。ＲＲＣ階層は、無線ベアラーの設定（ｃｏｎｆｉｇｕｒａｔｉｏｎ）、再設定（ｒｅ-ｃｏｎｆｉｇｕｒａｔｉｏｎ）及び解除（ｒｅｌｅａｓｅ）と関連して、論理チャネル、送信チャネル及び物理チャネルの制御を担当する。ＲＢは、端末とネットワークとの間のデータ伝達のために、第１階層（ＰＨＹ階層）及び第２階層（ＭＡＣ階層、ＲＬＣ階層、ＰＤＣＰ階層）により提供される論理的経路を意味する。
【００３８】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／整合性保護（ｉｎｔｅｇｒｉｔｙ  ｐｒｏｔｅｃｔｉｏｎ）を含む。
【００３９】
ＲＢが設定されるということは、特定サービスを提供するために無線プロトコル階層及びチャネルの特性を規定し、各々の具体的なパラメータ及び動作方法を設定する過程を意味する。ＲＢは、またＳＲＢ（Ｓｉｇｎａｌｉｎｇ  ＲＢ）とＤＲＢ（Ｄａｔａ  ＲＢ）の２通りに分けられることができる。ＳＲＢは、制御平面においてＲＲＣメッセージを送信する通路として使用され、ＤＲＢは、ユーザ平面においてユーザデータを送信する通路として使用される。
【００４０】
端末のＲＲＣ階層とＥ-ＵＴＲＡＮのＲＲＣ階層との間にＲＲＣ接続（ＲＲＣ  Ｃｏｎｎｅｃｔｉｏｎ）が確立されると、端末は、ＲＲＣ接続（ＲＲＣ  ｃｏｎｎｅｃｔｅｄ）状態にあるようになり、そうでない場合、ＲＲＣアイドル（ＲＲＣ  ｉｄｌｅ）状態にあるようになる。
【００４１】
ネットワークにおいて端末にデータを送信するダウンリンク送信チャネルには、システム情報を送信するＢＣＨ（Ｂｒｏａｄｃａｓｔ  Ｃｈａｎｎｅｌ）とその以外にユーザトラフィックまたは制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別のダウンリンクＭＣＨ（Ｍｕｌｔｉｃａｓｔ  Ｃｈａｎｎｅｌ）を介して送信されることもできる。一方、端末においてネットワークにデータを送信するアップリンク送信チャネルには、初期制御メッセージを送信するＲＡＣＨ（Ｒａｎｄｏｍ  Ａｃｃｅｓｓ  Ｃｈａｎｎｅｌ）とそれ以外にユーザトラフィックまたは制御メッセージを送信するアップリンクＳＣＨ（Ｓｈａｒｅｄ  Ｃｈａｎｎｅｌ）がある。
【００４２】
送信チャネル上位にあり、送信チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４３】
物理チャネル（Ｐｈｙｓｉｃａｌ  Ｃｈａｎｎｅｌ）は、時間領域で複数のＯＦＤＭシンボルと周波数領域で複数の副搬送波（Ｓｕｂ-ｃａｒｒｉｅｒ）とから構成される。一つのサブフレーム（Ｓｕｂ-ｆｒａｍｅ）は、時間領域で複数のＯＦＤＭシンボル（Ｓｙｍｂｏｌ）から構成される。資源ブロックは、資源割り当て単位であって、複数のＯＦＤＭシンボルと複数の副搬送波（ｓｕｂ-ｃａｒｒｉｅｒ）から構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）すなわち、Ｌ１／Ｌ２制御チャネルのために該当サブフレームの特定ＯＦＤＭシンボル（例、第１番目のＯＦＤＭシンボル）の特定副搬送波を利用できる。ＴＴＩ（Ｔｒａｎｓｍｉｓｓｉｏｎ  Ｔｉｍｅ  Ｉｎｔｅｒｖａｌ）は、サブフレーム送信の単位時間である。
【００４４】
以下、新しい無線アクセス技術（ｎｅｗｒａｄｉｏ  ａｃｃｅｓｓ  ｔｅｃｈｎｏｌｏｇｙ：ｎｅｗＲＡＴ、ＮＲ）に対して説明する。
【００４５】
より多くの通信機器の大きい通信容量の要求に応じて、既存の無線アクセス技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。それだけでなく、信頼度（ｒｅｌｉａｂｉｌｉｔｙ）及び遅延（ｌａｔｅｎｃｙ）に敏感なサービス／端末を考慮した通信システムデザインが論議されている。このように拡張されたモバイルブロードバンドコミュニケーション（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線アクセス技術の導入が論議されており、本発明では便宜上該当技術（ｔｅｃｈｎｏｌｏｇｙ）をｎｅｗ  ＲＡＴまたはＮＲという。
【００４６】
図４は、ＮＲが適用される次世代無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【００４７】
図４を参照すると、ＮＧ−ＲＡＮは、端末にユーザ平面及び制御平面プロトコル終端（ｔｅｒｍｉｎａｔｉｏｎ）を提供するｇＮＢ及び／またはｅＮＢを含むことができる。図４ではｇＮＢのみを含む場合を例示する。ｇＮＢ及びｅＮＢは、相互間にＸｎインターフェースで連結されている。ｇＮＢ及びｅＮＢは、５世代コアネットワーク（５Ｇ  Ｃｏｒｅ  Ｎｅｔｗｏｒｋ：５ＧＣ）とＮＧインターフェースを介して連結されている。より具体的に、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインターフェースを介して連結され、ＵＰＦ（ｕｓｅｒ  ｐｌａｎｅ  ｆｕｎｃｔｉｏｎ）とはＮＧ−Ｕインターフェースを介して連結される。
【００４８】
図５は、ＮＧ−ＲＡＮと５ＧＣとの間の機能的分割を例示する。
【００４９】
図５を参照すると、ｇＮＢは、インターセル間の無線リソース管理（Ｉｎｔｅｒ  Ｃｅｌｌ  ＲＲＭ）、無線ベアラ管理（ＲＢ  ｃｏｎｔｒｏｌ）、接続移動性制御（Ｃｏｎｎｅｃｔｉｏｎ  Ｍｏｂｉｌｉｔｙ  Ｃｏｎｔｒｏｌ）、無線許容制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ＆Ｐｒｏｖｉｓｉｏｎ）、動的リソース割当（ｄｙｎａｍｉｃ  ｒｅｓｏｕｒｃｅ  ａｌｌｏｃａｔｉｏｎ）などの機能を提供することができる。ＡＭＦは、ＮＡＳセキュリティ、アイドル状態移動性処理などの機能を提供することができる。ＵＰＦは、移動性アンカリング（Ｍｏｂｉｌｉｔｙ  Ａｎｃｈｏｒｉｎｇ）、ＰＤＵ処理などの機能を提供することができる。ＳＭＦ（Ｓｅｓｓｉｏｎ  Ｍａｎａｇｅｍｅｎｔ  Ｆｕｎｃｔｉｏｎ）は、端末ＩＰアドレス割当、ＰＤＵセッション制御などの機能を提供することができる。
【００５０】
図６は、Ｖ２ＸまたはＤ２Ｄ通信を遂行する端末を例示する。
【００５１】
図６を参照すると、Ｖ２Ｘ／Ｄ２Ｄ通信で端末（ＵＥ）という用語は主にユーザの端末を意味する。しかしながら、基地局（ｅＮＢ）のようなネットワーク装備が端末の間の通信方式によって信号を送受信する場合、やはり一種の端末と見なされることもできる。
【００５２】
端末１（ＵＥ１）は一連の資源の集合を意味する資源プール（resource pool）内で特定の資源に該当する資源単位（resource unit）を選択し、該当資源単位を使用してＤ２Ｄ信号を送信するように動作することができる。これに対する受信端末である端末２（ＵＥ２）は、端末１が信号を転送することができる資源プールの設定を受けて、該当資源プール内で端末１の信号を検出することができる。
【００５３】
ここで、端末１が基地局の連結範囲にある場合、基地局が資源プールを知らせてくれることができる。一方、端末１が基地局の連結範囲外にある場合、他の端末が資源プールを知らせてくれるか、または事前に定まった資源に決定されることもできる。
【００５４】
一般的に資源プールを複数の資源単位で構成され、各端末は１つまたは複数の資源単位を選定して自身のＤ２Ｄ信号送信に使用することができる。
【００５５】
図７は、Ｖ２Ｘ／Ｄ２Ｄ関連した転送モード（transmission mode：ＴＭ）に従う端末動作を例示する。
【００５６】
図７（ａ）は転送モード１、３に対するものであり、図７（ｂ）は転送モード２、４に対するものである。転送モード１／３では、基地局が端末１にＰＤＣＣＨ（より具体的にＤＣＩ）を介して資源スケジューリングを遂行し、端末１は該当資源スケジューリングによって端末２とＤ２Ｄ／Ｖ２Ｘ通信を遂行する。端末１は端末２にＰＳＣＣＨ（physical sidelink control channel）を介してＳＣＩ（sidelink control information）を転送した後、前記ＳＣＩに基づいたデータをＰＳＳＣＨ（physical sidelink shared channel）を介して転送することができる。転送モード１はＤ２Ｄに、転送モード３はＶ２Ｘに適用できる。
【００５７】
転送モード２／４は、端末が自らスケジューリングするモードということができる。より具体的に、転送モード２はＤ２Ｄに適用され、設定された資源プール内で端末が資源を自ら選択して、Ｄ２Ｄ動作を遂行することができる。転送モード４はＶ２Ｘに適用され、センシング／ＳＡデコーディング過程などを経て選択ウィンドウ内で端末が自ら資源を選択した後、Ｖ２Ｘ動作を遂行することができる。端末１は端末２にＰＳＣＣＨを介してＳＣＩを転送した後、前記ＳＣＩに基づいたデータをＰＳＳＣＨを介して転送することができる。以下、転送モードをモードと略称することができる。
【００５８】
基地局がＰＤＣＣＨを介して端末に転送する制御情報をＤＣＩ（downlink control information）と称することに反して、端末がＰＳＣＣＨを介して他の端末に転送する制御情報をＳＣＩと称することができる。ＳＣＩはサイドリンクスケジューリング情報を伝達することができる。ＳＣＩにはいろいろなフォーマットがありうるが、例えば、ＳＣＩフォーマット０とＳＣＩフォーマット１がありうる。
【００５９】
ＳＣＩフォーマット０はＰＳＳＣＨのスケジューリングのために使われることができる。ＳＣＩフォーマット０には、周波数ホッピングプラグ（１ビット）、資源ブロック割り当て及びホッピング資源割り当てフィールド（サイドリンクの資源ブロック個数によってビット数が変わることができる）、時間資源パターン（time resource pattern、７ビット）、ＭＣＳ（modulation and coding scheme、５ビット）、時間アドバンス指示（time advance indication、１１ビット）、グループ目的地ＩＤ（group destination ID、８ビット）などを含むことができる。
【００６０】
ＳＣＩフォーマット１はＰＳＳＣＨのスケジューリングのために使われることができる。ＳＣＩフォーマット１には、優先権（priority、３ビット）、資源留保（resource reservation、４ビット）、初期転送及び再転送の周波数資源位置（サイドリンクのサブチャンネル個数によってビット数が変わることがある）、初期転送と再転送との間の時間ギャップ（time gap between initial transmission and retransmission、４ビット）、ＭＣＳ（５ビット）、再転送インデックス（１ビット）、留保された情報ビット（reserved informationbit）などを含む。留保された情報ビットを以下、留保されたビットと略称することができる。留保されたビットはＳＣＩフォーマット１のビットサイズが３２ビットになるまで追加できる。即ち、ＳＣＩフォーマット１は互いに異なる情報を含む複数のフィールドを含むが、前記ＳＣＩフォーマット１の固定された総ビット個数（３２ビット）で前記複数のフィールドの総ビット個数を除外した残りの個数のビットを留保されたビットと称することができる。
【００６１】
ＳＣＩフォーマット０は転送モード１、２に使われることができ、ＳＣＩフォーマット１は転送モード３、４に使われることができる。
【００６２】
図８は、資源単位の構成例を示す。
【００６３】
図８を参照すると、資源プールの全体周波数資源がＮF個に分割されることができ、資源プールの全体時間資源がＮT個に分割されて、資源プール内で総ＮF＊ＮT個の資源単位が定義できる。
【００６４】
ここでは、該当資源プールがＮTサブフレームを周期で反復される場合を例示している。
【００６５】
１つの資源単位（例えば、Ｕｎｉｔ＃０）は図８に示すように、周期的に反復して表れることができる。または、時間や周波数次元でのダイバーシティ（diversity）効果を得るために、１つの論理的な資源単位がマッピングされる物理的資源単位のインデックスが時間によって事前に定まったパターンに変化することもできる。このような資源単位構造において、資源プールとは、Ｄ２Ｄ信号を送信しようとする端末が送信に使用できる資源単位等の集合を意味することができる。
【００６６】
資源プールはいろいろな種類に細分化できる。例えば、各資源プールで転送されるＤ２Ｄ信号の内容（content）によって区分できる。各資源プールは次と区分されることができ、各々の資源プールで次のＤ２Ｄ信号の内容は転送できる。
【００６７】
１）スケジューリング割り当て（Scheduling assignment：ＳＡ）資源プールまたはＤ２Ｄ（sidelink）制御チャンネル：各送信端末が、後行するか、または同一なサブフレームで転送されるＤ２Ｄデータチャンネルの資源位置及びその他のデータチャンネルの復調のために必要な情報（例：変調及びコーディング技法（modulation and coding scheme：ＭＣＳ）やＭＩＭＯ転送方式、タイミングアドバンス（timing advance）などの情報）を含む信号を転送する資源プール。
【００６８】
前記１）で説明した信号は、同一資源単位上でＤ２Ｄデータと共に多重化（multiplex）されて転送できる。この場合、ＳＡ資源プールとは、ＳＡがＤ２Ｄデータと多重化されて転送される資源プールを意味することができる。ＳＡ資源プールはＤ２Ｄ（sidelink）制御チャンネルと称されることもできる。
【００６９】
２）Ｄ２Ｄデータチャンネル：ＳＡを通じて指定された資源を使用して送信端末がユーザデータを転送することに使用する資源プール。もし、同一資源単位上でＤ２ＤデータとＳＡ情報が共に多重化されて転送されることも可能な場合には、Ｄ２Ｄデータチャンネルのための資源プールではＳＡ情報を除外した形態のＤ２Ｄデータチャンネルのみ転送される形態になることができる。言い換えると、ＳＡ資源プール内の個別資源単位上でＳＡ情報を転送することに使われた資源要素（resource element）をＤ２Ｄデータチャンネル資源プールでは相変らずＤ２Ｄデータを転送することに使用するものである。
【００７０】
３）ディスカバリーチャンネル（Discovery channel）：送信端末が自身のＩＤ（identity）などの情報を転送して、隣接端末をして自身を発見することができるようにするメッセージのための資源プール。
【００７１】
以上で説明したＤ２Ｄ信号の内容が同一な場合にも、Ｄ２Ｄ信号の送受信属性によって相異する資源プールを使用することができる。一例に、同一なＤ２ＤデータチャンネルやディスカバリーメッセージとしでもＤ２Ｄ信号の送信タイミング決定方式（例えば、動機基準信号の受信時点で送信されるか、でなきれば、前記受信時点で一定のタイミングアドバンスを適用して転送されるか）や資源割り当て方式（例えば、個別信号の転送資源を基地局が個別送信端末に指定してくれるか、でなければ個別送信端末が資源プール内で自体的に個別信号転送資源を選択するか）、信号フォーマット（例えば、各Ｄ２Ｄ信号が１つのサブフレームで占めるシンボルの個数や、１つのＤ２Ｄ信号の転送に使われるサブフレームの個数）、基地局からの信号強さ、Ｄ２Ｄ端末の送信電力強さなどに従って、また相異する資源プールに区分されることもできる。
【００７２】
前述したように、Ｄ２Ｄ通信で基地局がＤ２Ｄ送信端末の送信資源を直接指示する方法をモード１（Mode１）、転送資源領域が事前に設定されているか、または基地局が転送資源領域を指定し、端末が直接送信資源を選択する方法をモード２（Mode２）と称することができる。
【００７３】
Ｄ２Ｄ発見（discovery）の場合には、基地局が直接資源を指示する場合にはタイプ２（Type２）、事前に設定された資源領域または基地局が指示した資源領域で端末が直接転送資源を選択する場合はタイプ１（Type１）と称することができる。
【００７４】
一方、前記Ｄ２Ｄはサイドリンク（sidelink）と称されることもできる。ＳＡは物理サイドリンク制御チャンネル（physical sidelink control channel：ＰＳＣＣＨ）、Ｄ２Ｄ同期信号（D2D synchronization signal）はサイドリンク同期信号（sidelink synchronization signal：ＳＳＳ）と称することもできる。Ｄ２Ｄ通信の以前に、最も基本的な情報を転送する制御チャンネルを物理サイドリンク放送チャンネル（Physical sidelink broadcast channel：ＰＳＢＣＨ）と称し、ＰＳＢＣＨはＳＳＳと共に転送されることができ、または他の名称でＰＤ２ＤＳＣＨ（Physical D2D synchronization channel）と称することもできる。特定端末が自身が周辺にいることを知らせるための信号には前記特定端末のＩＤが含まれていることができ、このような信号が転送されるチャンネルを物理サイドリンクディスカバリーチャンネル（physical sidelink discovery channel：ＰＳＤＣＨ）と称することができる。
【００７５】
Ｄ２Ｄでは、Ｄ２Ｄ通信端末のみＰＳＢＣＨをＳＳＳと共に転送しており、これによって、ＳＳＳの測定はＰＳＢＣＨのＤＭＲＳ（demodulation reference signal）を用いて遂行した。カバレッジ外側の（out-coverage）の端末はＰＳＢＣＨのＤＭＲＳを測定し、この信号のＲＳＲＰ（reference signal received power）などを測定して自身が同期化ソース（synchronization source）になるか否かを決定することができる。
【００７６】
以下では、サイドリンクＲＳＳＩ（Sidelink Received Signal Strength Indicator；Ｓ−ＲＳＳＩ）、ＰＳＳＣＨ参照信号受信電力（PSSCH Reference Signal Received Power；ＰＳＳＣＨ−ＲＳＲＰ）、チャンネル混雑比率（CHANNEL BUSY RATIO；ＣＢＲ）、チャンネル占有比率（CHANNEL OCCUPANCY RATIO；ＣＲ）に対して説明する。
【００７７】
＜Ｓ−ＲＳＳＩ＞
【００７８】
サイドリンクＲＳＳＩ（Ｓ−ＲＳＳＩ）はサブフレームの最初のスロットの１、２、．．．、６  ＳＣ−ＦＤＭＡシンボル及び２番目のスロットの０、１、．．．、５  ＳＣ−ＦＤＭＡで設定されたサブチャンネルのみで端末により観測されたＳＣ−ＦＤＭＡ当たり全体受信された電力（［Ｗ］単位）の線形平均（linear average）として定義できる（Sidelink RSSI (S-RSSI) may be defined as the linear average of the total received power (in [W]) per SC-FDMA symbol observed by the UE only in the configured sub-channelin SC-FDMA symbols 1, 2, ..., 6 of the first slot and SC-FDMA symbols 0,1,..., 5 of the second slot of a subframe）。
【００７９】
ここで、Ｓ−ＲＳＳＩのレファレンスポイントは端末のアンテナコネクタでありうる。
【００８０】
仮に、レシーバーダイバーシティが端末により使われる場合、報告された値は任意の個別ダイバーシティブランチの対応するＳ−ＲＳＳＩより低くないことがある。
【００８１】
Ｓ−ＲＳＳＩはＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／又はＲＲＣ＿ＣＯＮＮＥＣＴＥＤインター周波数で適用できる。
【００８２】
＜ＰＳＳＣＨ−ＲＳＲＰ＞
【００８３】
ＰＳＳＣＨ−ＲＳＲＰは関連したＰＳＣＣＨ（Physical Sidelink Control Channel）により指示されたＰＲＢ（Physical Resource Block）内で、ＰＳＳＣＨと関連した復調基準信号を運搬する資源要素の電力寄与分（［Ｗ］単位）に対する線形平均として定義できる（PSSCH Reference Signal Received Power (PSSCH-RSRP) may be defined as the linear average over the power contributions (in [W]) of the resource elements that carry demodulation reference signals associated with PSSCH, within the PRBs indicated by the associated PSCCH）。
【００８４】
ここで、ＰＳＳＣＨ−ＲＳＲＰに対するレファレンスポイントは端末のアンテナコネクタでありうる。
【００８５】
仮に、レシーバーダイバーシティが端末により使われる場合、報告された値は任意の個別ダイバーシティブランチの対応するＰＳＳＣＨ−ＲＳＲＰより低くないことがある。
【００８６】
ＰＳＳＣＨ−ＲＳＲＰは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／又はＲＲＣ＿ＣＯＮＮＥＣＴＥＤインター周波数で適用できる。
【００８７】
ここで、資源要素当たり電力はＣＰを除外した、シンボルの有用な部分で受信されたエネルギーから決定できる。
【００８８】
＜チャンネル混雑比率（CHANNEL BUSY RATIO；ＣＢＲ）＞
【００８９】
サブフレームｎで測定されたＣＢＲは以下の通り定義できる。
【００９０】
ＣＢＲは、ＰＳＳＣＨに対して、サブフレーム［ｎ−１００、ｎ−１］の間、端末により測定されたＳ−ＲＳＳＩが既設定されたしきい値を超えると感知されたリソースプールでのサブチャンネルのポーション（Portion）を意味することができる。
【００９１】
ＣＢＲは、ＰＳＳＣＨに対して、ＰＳＣＣＨ（Physical Sidelink Control Channel）がＰＳＣＣＨに対応するＰＳＳＣＨと共に隣接しない資源ブロックで転送できるように設定されたプールで、サブフレーム［ｎ−１００、ｎ−１］の間、端末により測定されたＳ−ＲＳＳＩが既設定されたしきい値を超えると感知されたリソースプールでのサブチャンネルのポーション（portion）を意味することができる。ここで、ＰＳＣＣＨプールが周波数ドメインで２つの連続的なＰＲＢ（Physical Resource Block）対のサイズを有する資源で構成されると仮定することができる。
【００９２】
ＣＢＲは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／又はＲＲＣ＿ＣＯＮＮＥＣＴＥＤインター周波数で適用できる。
【００９３】
ここで、サブフレームインデックスは物理的サブフレームインデックス（Physical Subframe Index）に基づくことができる。
【００９４】
＜チャンネル占有比率（CHANNEL OCCUPANCY RATIO；ＣＲ）＞
【００９５】
サブフレームｎで評価されたＣＲは以下の通り定義できる。
【００９６】
サブフレーム［ｎ−ａ、ｎ−１］で、そしてサブフレーム［ｎ、ｎ＋ｂ］で許可された（granted）、端末の転送に使われるサブチャンネルの個数を、［ｎ−ａ、ｎ＋ｂ］の間、転送プールで設定されたサブチャンネルの個数で割ったことを意味することができる。
【００９７】
ＣＲは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／又はＲＲＣ＿ＣＯＮＮＥＣＴＥＤインター周波数で適用できる。
【００９８】
ここで、ａは正の整数でありえ、ｂは０または正の整数を意味することができる。ａ及びｂは端末により決定されることができ、この際、‘ａ＋ｂ＋１＝１０００’、‘ａ＞＝５００’、‘ｎ＋ｂは現在転送に対する許可の最終転送機会を超えないこと（n+b should not exceed the last transmission opportunity of the grant for the currenttransmission）’を満たすことができる。
【００９９】
ここで、ＣＲは各々の（再）転送に対して評価できる。
【０１００】
ここで、ＣＲを評価する時、端末はサブフレームｎで使われる転送パラメータがパケットドロップ無しでサブフレーム［ｎ＋１、ｎ＋ｂ］での既存許可によって再使用できると仮定することができる。
【０１０１】
ここで、サブフレームインデックスは物理的サブフレームインデックスに基づくことができる。
【０１０２】
ここで、ＣＲは優先順位レベル毎に計算できる。
【０１０３】
以下では、サイドリンクチャネルスクランブリング、サイドリンク復調参照信号について説明する。
【０１０４】
＜サイドリンクチャネルスクランブリング＞
【０１０５】
ＰＳＳＣＨスクランブリングシーケンスジェネレータは、毎ＰＳＳＣＨサブフレームの開始位置で、下記式〔式Ａ〕に初期化されることができる。ここで、ｎssfPSSCHは、ＰＳＳＣＨに対し、サブフレームプールで（現在）サイドリンクサブフレーム番号を表す。
【０１０６】
【数１】
0006907330.tif 000002
【０１０７】
このとき、サイドリンク送信モード３及び４に関して、下記〔式Ｂ〕は、下記〔式Ｃ〕の計算式で導出され、これは、ＰＳＳＣＨと同じサブフレームで送信されるＰＳＣＣＨ上のＣＲＣを十進数で表現したものである。
【０１０８】
【数２】
0006907330.tif 000003
【０１０９】
【数３】
0006907330.tif 000004
【０１１０】
ここで、上記の数式上のｐは、ＣＲＣ生成におけるパリティビットを意味し、Ｌは、当該パリティビット等の個数を意味する。パリティビットは、下記のようなサイクリックジェネレータ多項式のうち１つにより生成されることができる。
【０１１１】
・ｇCRC24A（Ｄ）＝［Ｄ24＋Ｄ23＋Ｄ18＋Ｄ17＋Ｄ14＋Ｄ11＋Ｄ10＋Ｄ7＋Ｄ6＋Ｄ5＋Ｄ4＋Ｄ3＋Ｄ＋１］；
【０１１２】
・ｇCRC24B（Ｄ）＝［Ｄ24＋Ｄ23＋Ｄ6＋Ｄ5＋Ｄ＋１］ｆｏｒ  ａ  ＣＲＣ  ｌｅｎｇｔｈ  Ｌ＝２４；
【０１１３】
・ｇCRC16（Ｄ）＝［Ｄ16＋Ｄ12＋Ｄ5＋１］ｆｏｒ  ａ  ＣＲＣ  ｌｅｎｇｔｈ  Ｌ＝１６．
【０１１４】
・ｇCRC8（Ｄ）＝［Ｄ8＋Ｄ7＋Ｄ4＋Ｄ3＋Ｄ＋１］ｆｏｒ  ａ  ＣＲＣ  ｌｅｎｇｔｈ  ｏｆ  Ｌ＝８．
【０１１５】
＜サイドリンクにおける復調参照信号（Ｄｅｍｏｄｕｌａｔｉｏｎ  ｒｅｆｅｒｅｎｃｅ  ｓｉｇｎａｌ；ＤＭＲＳ）＞
【０１１６】
ＰＳＳＣＨ、ＰＳＣＣＨ、ＰＳＢＣＨに連関したＤＭ−ＲＳのシーケンスは、次のように生成されることができる。
【０１１７】
【数４】
0006907330.tif 000005
【０１１８】
ここで、ｍは、特殊サブフレーム（ｓｐｅｃｉａｌ  ｓｕｂｆｒａｍｅ）に対して０、それ以外には、０または１である。ｎ＝０、．．．、ＭscRS−１である。ＭscRSは、参照信号の長さを副搬送波個数で表したものである。δは、０または１である。ｕは、スロットｎsにおけるシーケンスグループ番号であり、ｖは、基本シーケンス番号である。ｕは、ｎIDRS及びｆssに基づいて決定されることができる。
【０１１９】
前記αλは、スロットｎsにおける循環シフト（ｃｙｃｌｉｃ  ｓｈｉｆｔ）値であり、次の式のように与えられることができる。
【０１２０】
【数５】
0006907330.tif 000006
【０１２１】
上記式１、２に出るパラメータは、ＰＳＳＣＨに対する参照信号（ＤＭ−ＲＳ）の場合、次の表のように決定されることができる。
【０１２２】
【表１】
0006907330.tif 000007
【０１２３】
ｎIDRSは、シーケンスグループホッピングに関連したＩＤである。ｎsは、スロット番号、ｆssは、シーケンスシフトパターンを表す。
【０１２４】
ｎcs、λは、循環シフト値である。サイドリンク送信モード３、４でＰＳＳＣＨ及びＰＳＣＣＨに対し、ＤＭ−ＲＳがマッピングされるシンボルは、１番目のスロットでｌ＝２、５（すなわち、３番目のシンボル及び６番目のシンボル）、２番目のスロットでｌ＝１、４（すなわち、２番目のシンボル及び５番目のシンボル）でありうる。
【０１２５】
サイドリンク送信モード３、４でＰＳＢＣＨに対し、ＤＭ−ＲＳがマッピングされるシンボルは、１番目のスロットでｌ＝４、６（すなわち、５番目のシンボル及び７番目のシンボル）、２番目のスロットでｌ＝２（すなわち、３番目のシンボル）でありうる。
【０１２６】
サイドリンク送信モード３、４で、類似ランダムシーケンス生成器（ｐｓｅｕｄｏ−ｒａｎｄｏｍ  ｓｅｑｕｅｎｃｅ  ｇｅｎｅｒａｔｏｒ）は、ｎssPSSCHｍｏｄ２＝０を満たす各スロットの開始で初期化されることができる。ｎssPSSCHは、ＰＳＳＣＨに対し、サブフレームプールで（現在）サイドリンクスロット番号を表す。
【０１２７】
サイドリンク送信モード３、４でＰＳＣＣＨに対し、サブフレーム内の全てのＤＭ−ＲＳに適用される循環シフトｎcs、λは、｛０、３、６、９｝の中でランダムに選択されることができる。
【０１２８】
サイドリンク送信モード３、４でＰＳＳＣＨに対し、ｍ＝０、１、２、３でありうるし、ＰＳＢＣＨに対し、ｍ＝０、１、２でありうる。
【０１２９】
サイドリンク送信モード３、４で、ｎIDXは、ＰＳＳＣＨと同じサブフレームで送信されたＰＳＣＣＨ上のＣＲＣの十進法表現と同様であり、次の式のように与えられることができる。
【０１３０】
【数６】
0006907330.tif 000008
【０１３１】
上記式において、ｐは、パリティビット（ｐａｒｉｔｙ  ｂｉｔ）であり、Ｌは、パリティビット個数である。
【０１３２】
ＭscPSSCHは、ＰＳＳＣＨ送信のためにスケジューリングされた帯域を副搬送波個数で表したものである。
【０１３３】
上記式１、２に出るパラメータは、ＰＳＣＣＨに対する参照信号の場合、次の表のように決定されることができる。
【０１３４】
【表２】
0006907330.tif 000009
【０１３５】
上記式１、２に出るパラメータは、ＰＳＢＣＨに対する参照信号の場合、次の表のように決定されることができる。ＮIDSLは、サイドリンク同期識別子（ｓｉｄｅｌｉｎｋ  ｓｙｎｃｈｒｏｎｉｚａｔｉｏｎ  ｉｄｅｎｔｉｔｙ）である。
【０１３６】
【表３】
0006907330.tif 000010
【０１３７】
以下では、今後の無線通信システムにおけるＴＴＩについてより詳細に説明する。
【０１３８】
今後の無線通信システムでは、様々な送信カバレッジ／信頼度／遅延要求事項等のトラフィック（あるいは、データ）を考慮して、可変的なＴＴＩ（チャネル／シグナル）が導入され得る。一例に、予め基本資源ユニット（ＢＡＳＩＣ  ＲＥＳＯＵＲＣＥ  ＵＮＩＴ）が定義（／設定）された後、（特定要求事項のデータ関連チャネル／シグナル送信）ＴＴＩが単数あるいは複数の基本資源ユニットの結合体と定義されることができる。このとき、それぞれのＴＴＩに対する例を図面を介して説明すれば、下記のとおりである。
【０１３９】
図９は、Ｓ−ＴＴＩとＬ−ＴＴＩの一例を概略的に図示したものである。
【０１４０】
図９によれば、Ｓ−ＴＴＩが予め設定（／シグナリング）された基本資源ユニットと定義された場合、Ｌ−ＴＴＩは、（予め設定（／シグナリング））されたＫ個のＳ−ＴＴＩ（基本資源ユニット）が結合された形態と解釈されることができる。
【０１４１】
図１０は、Ｓ−ＴＴＩとＬ−ＴＴＩの他の例を概略的に図示したものである。
【０１４２】
図１０によれば、Ｌ−ＴＴＩが予め設定（／シグナリング）された基本資源ユニットと定義された場合、Ｓ−ＴＴＩは、Ｌ−ＴＴＩ（基本資源ユニット）が（予め設定（／シグナリング））されたＫ個に分割された形態（例、一種のＭＩＮＩ−ＢＡＳＩＣ  ＲＥＳＯＵＲＣＥ  ＵＮＩＴ）と解釈されることができる。
【０１４３】
上記の図面の例とは異なり、Ｓ−ＴＴＩも複数の（予め設定（／シグナリング）された）基本資源ユニットが結合された形態を有することもできる。
【０１４４】
図１１は、Ｓ−ＴＴＩとＬ−ＴＴＩのさらに他の例を概略的に図示したものである。
【０１４５】
図１１によれば、例えば、Ｓ−ＴＴＩ構成＃Ａのように、１番目のＳ−ＴＴＩは、３個のＯＦＤＭシンボル（ＯＦＤＭ  ｓｙｍｂｏｌ；ＯＳ）の長さを有し、２番目のＳ−ＴＴＩは、２個のＯＦＤＭシンボルの長さを、３番目のＳ−ＴＴＩは、２個のＯＦＤＭシンボルの長さを、４番目のＳ−ＴＴＩは、２個のＯＦＤＭシンボルの長さを、５番目のＳ−ＴＴＩは、２個のＯＦＤＭシンボルの長さを、６番目のＳ−ＴＴＩは、３個のＯＦＤＭシンボルの長さを有することができる。
【０１４６】
あるいは、例えば、Ｓ−ＴＴＩ構成＃Ｂのように、１番目のＳ−ＴＴＩは、７個のＯＦＤＭシンボルの長さを、２番目のＳ−ＴＴＩは、７個のＯＦＤＭシンボルの長さを有することもできる。
【０１４７】
今まで、Ｓ−ＴＴＩとＬ−ＴＴＩとの関係に対する様々な例を図示した。しかし、上記で説明した様々なＳ−ＴＴＩとＬ−ＴＴＩとの例示は、説明の便宜のための一例示に過ぎず、Ｓ−ＴＴＩとＬ−ＴＴＩとの形態は、上記に開示された形態に制限されるものではない。
【０１４８】
以下では、本明細書において使用される略語の意味について説明する。
【０１４９】
Ｌ−ＴＴＩ：１ｍｓ長さのレガシーサブフレーム（ＬＥＧＡＣＹ  Ｓｕｂｆｒａｍｅ；ｌｅｇａｃｙ  ＳＦ）を意味できる。
【０１５０】
Ｓ−ＴＴＩ：１ｍｓに比べて相対的に短いＴＴＩを意味できる。
【０１５１】
Ｓ−ＰＳＣＣＨ＿Ｌ：Ｓ−ＴＴＩ基盤のＰＳＣＣＨを構成するシンボル個数を意味できる。
【０１５２】
Ｓ−ＰＳＳＣＨ＿Ｌ：Ｓ−ＴＴＩ基盤のＰＳＳＣＨを構成するシンボル個数を意味できる。
【０１５３】
Ｓ−ＰＳＣＣＨ、Ｓ−ＰＳＳＣＨ：Ｓ−ＴＴＩ基盤のＰＳＣＣＨ、ＰＳＳＣＨを意味できる。
【０１５４】
Ｌ−ＰＳＣＣＨ、Ｌ−ＰＳＳＣＨ：既存の１ｍｓ  ＴＴＩ（Ｌ−ＴＴＩ）基盤の（あるいは、Ｓ−ＴＴＩより相対的に長いＴＴＩ基盤の）レガシー（ＬＥＧＡＣＹ）ＰＳＣＣＨ、ＰＳＳＣＨを意味できる。
【０１５５】
Ｌ−Ｎ＿ＳＳ：Ｌ−ＴＴＩ（あるいは、Ｓ−ＴＴＩより相対的に長いＴＴＩ）基盤の送信時、レガシースロット（ＬＥＧＡＣＹ  ＳＬＯＴ；Ｌ−ＳＬＯＴ）上のＤＭ−ＲＳシーケンス生成／シーケンス（グループ）ホッピングに使用されるＬ−ＳＬＯＴインデックス。（例、ｎssPSSCH）
【０１５６】
Ｌ−Ｎ＿ＳＳＦ：Ｌ−ＴＴＩ基盤の送信時、Ｌ−ＴＴＩ上のスクランブリングに使用されるＬ−ＴＴＩインデックス。（例、ｎssfPSSCH）
【０１５７】
Ｓ−Ｎ＿ＳＳ：Ｓ−ＴＴＩ基盤の送信時、Ｓ−ＴＴＩ上のＤＭ−ＲＳシーケンス生成／ホッピングに使用されるインデックス。
【０１５８】
Ｓ−Ｎ＿ＳＳＦ：Ｓ−ＴＴＩ基盤の送信時、Ｓ−ＴＴＩ上のスクランブリングに使用されるインデックス。
【０１５９】
Ｓ−ＣＢＲ：Ｓ−ＴＴＩ基盤の送信時、ＣＢＲ測定値。
【０１６０】
Ｓ−ＣＲ：Ｓ−ＴＴＩ基盤の送信時、ＣＲ測定値。
【０１６１】
前記略語と関連して、本明細書では、Ｌ−ＴＴＩを既存の１ｍｓ長さのレガシーサブフレームの意味と記述したが、本発明がこれに限定解釈されてはならないであろう。言い替えれば、次世代Ｖ２Ｘ通信システムにおいて、ＴＴＩ長さは、時間領域で１つの送信方向に連続的なシンボルの個数に対応することができ、シンボルの個数を異に使用することにより、ＴＴＩ長さを異なるように設定することができる。ここで、Ｓ−ＴＴＩが予め設定ないしシグナリングされた基本資源ユニット（ｂａｓｉｃ  ｒｅｓｏｕｒｃｅ  ｕｎｉｔ）と定義された場合、Ｌ−ＴＴＩは、前記Ｓ−ＴＴＩ等の複数個（例えば、Ｋ個）の集合形態と解釈されることができる。また、ここで、Ｌ−ＴＴＩが予め設定ないしシグナリングされた基本資源ユニットと定義された場合、Ｓ−ＴＴＩは、前記Ｌ−ＴＴＩが複数個（例えば、Ｋ個）に分割された形態と解釈されることができる。
【０１６２】
以下では、本発明についてさらに詳細に説明する。
【０１６３】
前述したように、次世代Ｖ２Ｘ通信システムにおいて既存の１ｍｓ（ｍｉｌｌｉｓｅｃｏｎｄ）より短いＴＴＩ（ｓｈｏｒｔ−ＴＴＩ；ｓ−ＴＴＩ）に基づいたＶ２Ｘ通信方法が考慮されている。このとき、ｓ−ＴＴＩを構成するシンボルの個数は、既存のＴＴＩの場合に比べてシンボルの個数が減る可能性があるため、ｓ−ＴＴＩに基づいたＶ２Ｘ通信が行われる場合に、既存のＴＴＩ基盤のＰＳＣＣＨの解釈方法、フィールド構成、ペイロードのサイズの設定などが問題になり得る。したがって、以下では、ｓ−ＴＴＩ導入によるＰＳＣＣＨの効率的な制御及び解釈に基づいたＶ２Ｘ通信方法を提案する。
【０１６４】
一例に、下記の提案方式は、（既存（例えば、「１ＭＳ」）に比べて）相対的に短い送信時間間隔（ｓｈｏｒｔ  Ｔｒａｎｓｍｉｓｓｉｏｎ  Ｔｉｍｅ  Ｉｎｔｅｒｖａｌ；ｓｈｏｒｔ−ＴＴＩ；Ｓ−ＴＴＩ）基盤のＶ２Ｘ通信が行われる場合、効率的なＰＳＣＣＨペイロードサイズ／フィールド構成／解釈方法などを提示する。ここで、一例に、Ｖ２Ｘ通信モードは、（代表的に）（Ａ）（（基地局（／ネットワーク）から）予め設定（／シグナリング）されたＶ２Ｘ資源プール上で）Ｖ２Ｘメッセージ送（／受信）関連スケジューリング情報を基地局がシグナリング（／制御）するモード（ＭＯＤＥ＃３）（例えば、基地局通信カバレッジ内に位置した（そして／あるいは、ＲＲＣ＿ＣＯＮＮＥＣＴＥＤ状態の）端末が主な対象である）そして／あるいは、（Ｂ）（（基地局（／ネットワーク）から）予め設定（／シグナリング）されたＶ２Ｘ資源プール上で）Ｖ２Ｘメッセージ送（／受信）関連スケジューリング情報を端末が（独自に）決定（／制御）するモード（ＭＯＤＥ＃４）（例えば、基地局通信カバレッジ内／外に位置した（そして／あるいは、ＲＲＣ＿ＣＯＮＮＥＣＴＥＤ／ＩＤＬＥ状態の）端末が主な対象である）に区分されることができる。ここで、一例に、本発明において「センシング動作」ワーディングは、（デコーディング成功したＰＳＣＣＨがスケジューリングする）ＰＳＳＣＨ  ＤＭ−ＲＳシーケンス（ＳＥＱＵＥＮＣＥ）基盤のＰＳＳＣＨ−ＲＳＲＰ測定動作、そして／あるいは、（Ｖ２Ｘ資源プール関連サブチャネル基盤の）Ｓ−ＲＳＳＩ測定動作などと解釈されることもできる。ここで、一例に、本発明において「受信」ワーディングは、（Ａ）Ｖ２Ｘチャネル（／シグナル）（例えば、ＰＳＣＣＨ、ＰＳＳＣＨ、ＰＳＢＣＨ、ＰＳＳＳ／ＳＳＳＳ等）デコーディング（／受信）動作（そして／あるいは、ＷＡＮ  Ｄｏｗｎｌｉｎｋ（ＤＬ）チャネル（／シグナル）（例えば、ＰＤＣＣＨ、ＰＤＳＣＨ、Ｐｒｉｍａｒｙ  Ｓｙｎｃｈｒｏｎｉｚａｔｉｏｎ  Ｓｉｇｎａｌ／Ｓｅｃｏｎｄａｒｙ  Ｓｙｎｃｈｒｏｎｉｚａｔｉｏｎ  Ｓｉｇｎａｌ（ＰＳＳ／ＳＳＳ）等）デコーディング（／受信）動作）、そして／あるいは、（Ｂ）センシング動作、そして／あるいは、（Ｃ）ＣＢＲ測定動作のうち（最小限）１つに（拡張）解釈されることもできる。ここで、一例に、本発明において「送信」ワーディングは、Ｖ２Ｘチャネル（／シグナル）（例えば、ＰＳＣＣＨ、ＰＳＳＣＨ、ＰＳＢＣＨ、Ｐｒｉｍａｒｙ  Ｓｉｄｅｌｉｎｋ  Ｓｙｎｃｈｒｏｎｉｚａｔｉｏｎ  Ｓｉｇｎａｌ／Ｓｅｃｏｎｄａｒｙ  Ｓｉｄｅｌｉｎｋ  Ｓｙｎｃｈｒｏｎｉｚａｔｉｏｎ  Ｓｉｇｎａｌ（ＰＳＳＳ／ＳＳＳＳ）等）送信動作、（そして／あるいは、ＷＡＮ  ＵＬチャネル（／シグナル）（例えば、ＰＵＳＣＨ、ＰＵＣＣＨ、Ｓｏｕｎｄｉｎｇ  Ｒｅｆｅｒｅｎｃｅ  Ｓｉｇｎａｌ（ＳＲＳ）等）送信動作）に（拡張）解釈されることもできる。ここで、一例に、本発明において「キャリア（ＣＡＲＲＩＥＲ）」ワーディングは、（Ａ）予め設定（／シグナリング）されたキャリアセット（ＣＡＲＲＩＥＲ  ＳＥＴ）（／グループ（ＧＲＯＵＰ））、そして／あるいは、（Ｂ）Ｖ２Ｘ資源プール等に（拡張）解釈されること���できる。ここで、一例に、本発明において「ＲＳ」ワーディングは、ＤＭ−ＲＳに（最小限）解釈されることもできる。ここで、一例に、本発明において「スクランブリング」ワーディングは、ＰＳＳＣＨ（／ＰＳＣＣＨ）スクランブリングに（最小限）解釈されることもできる。また、ここで、サイドリンクＲＳＳＩ（Ｓｉｄｅｌｉｎｋ  Ｒｅｃｅｉｖｅｄ  Ｓｉｇｎａｌ  Ｓｔｒｅｎｇｔｈ  Ｉｎｄｉｃａｔｏｒ；Ｓ−ＲＳＳＩ）、ＰＳＳＣＨ参照信号受信電力（ＰＳＳＣＨ  Ｒｅｆｅｒｅｎｃｅ  Ｓｉｇｎａｌ  Ｒｅｃｅｉｖｅｄ  Ｐｏｗｅｒ；ＰＳＳＣＨ−ＲＳＲＰ）、チャネル煩雑割合（ＣＨＡＮＮＥＬ  ＢＵＳＹ  ＲＡＴＩＯ；ＣＢＲ）、チャネル占有割合（ＣＨＡＮＮＥＬ  ＯＣＣＵＰＡＮＣＹ  ＲＡＴＩＯ；ＣＲ）の定義は、前述したとおりである。
【０１６５】
図１２は、本発明の一実施形態に係る、端末のＶ２Ｘ通信方法の順序図である。
【０１６６】
図１２によれば、前記端末は、基地局からＰＤＣＣＨ（Ｐｈｙｓｉｃａｌ  Ｄｏｗｎｌｉｎｋ  Ｃｏｎｔｒｏｌ  Ｃｈａｎｎｅｌ）を介して前記第１のＴＴＩ（Ｔｒａｎｓｍｉｓｓｉｏｎ  Ｔｉｍｅ  Ｉｎｔｅｒｖａｌ）基盤の第１の下向きリンク制御情報（Ｄｏｗｎｌｉｎｋ  Ｃｏｎｔｒｏｌ  Ｉｎｆｏｒｍａｔｉｏｎ；ＤＣＩ）及び前記第２のＴＴＩ基盤の第２のＤＣＩのうち、少なくともいずれか１つを受信する（Ｓ１２１０）。ここで、前記第１のＴＴＩは、前記第２のＴＴＩより短いことができる。また、ここで、前記第１のＤＣＩに設定される第１の無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）と前記第２のＤＣＩに設定される第２のＲＮＴＩとは互いに異なることができる。また、ここで、前記第１のＲＮＴＩ及び前記第２のＲＮＴＩのうち１つに基づいて、前記第１のＴＴＩ基盤の送信及び前記第２のＴＴＩ基盤の送信のうちいずれが許容されるかを決定できる。
【０１６７】
その後、前記端末は、前記少なくとも１つのＤＣＩに基づいて、前記第１のＴＴＩ基盤の送信及び前記第２のＴＴＩ基盤の送信のうち１つの方式で前記Ｖ２Ｘ通信を行う（Ｓ１２２０）。
【０１６８】
ここで、前記第１のＤＣＩ及び前記第２のＤＣＩは、各々動的スケジューリング（ｄｙｎａｍｉｃ  ｓｃｈｅｄｕｌｉｎｇ）または半静的スケジューリング（ｓｅｍｉ−ｐｅｒｓｉｓｔｅｎｔ  ｓｃｈｅｄｕｌｉｎｇ）のためのＤＣＩでありうる。
【０１６９】
また、ここで、前記第１のＤＣＩのサイズと前記第２のＤＣＩのサイズとは同じでありうる。
【０１７０】
また、ここで、前記第１のＤＣＩと前記第２のＤＣＩとを区分するフラグ（ｆｌａｇ）が前記第１のＤＣＩに含まれ得る。
【０１７１】
また、ここで、前記第１のＤＣＩを受信した場合、初期送信が行われる時点決定またはサイドリンク（Ｓｉｄｅｌｉｎｋ）インデックスフィールドは、前記第２のＴＴＩ基盤で解釈されることができる。
【０１７２】
また、ここで、前記第１のＴＴＩ基盤の送信に関する端末補助情報（Ｕｓｅｒ  Ｅｑｕｉｐｍｅｎｔ  Ａｓｓｉｓｔａｎｃｅ  ｉｎｆｏｒｍａｔｉｏｎ）は独立的に報告されることができる。
【０１７３】
また、ここで、前記Ｖ２Ｘ通信実行の際、サブチャネルグループ単位に前記第１のＴＴＩ基盤の前記Ｖ２Ｘ通信に対するスケジューリングを行い、前記サブチャネルグループは、Ｖ２Ｘ資源プールを構成するサブチャネルが予め定義された個数の分だけ集合されたものでありうる。
【０１７４】
また、ここで、前記スケジューリングは、前記第１のＴＴＩ基盤のＰＳＣＣＨ（Ｐｈｙｓｉｃａｌ  Ｓｉｄｅｌｉｎｋ  Ｃｏｎｔｒｏｌ  Ｃｈａｎｎｅｌ）フィールド構成及び前記第１のＴＴＩ基盤のＰＳＣＣＨを構成する資源ブロック個数が前記第２のＴＴＩ基盤のＰＳＣＣＨと同様に設定される場合に行うことができる。
【０１７５】
また、ここで、Ｖ２Ｘ資源プール上で前記第１のＴＴＩ基盤の送信及び前記第２のＴＴＩ基盤の送信が全て許容された場合、前記第１のＴＴＩ基盤のＰＳＳＣＨ（Ｐｈｙｓｉｃａｌ  Ｓｉｄｅｌｉｎｋ  Ｓｈａｒｅｄ  Ｃｈａｎｎｅｌ）上に前記第１のＴＴＩ基盤の送信であることを指示するフィールドを含むことができる。
【０１７６】
また、ここで、前記Ｖ２Ｘ通信実行の際、ＰＳＣＣＨの初期送信及び再送信間の時間間隔フィールドは、前記第２のＴＴＩ基盤で解釈されることができる。
【０１７７】
また、ここで、Ｖ２Ｘ資源プール上で前記第１のＴＴＩ基盤の送信のみ許容された場合、前記Ｖ２Ｘ通信実行の際、ＰＳＣＣＨの初期送信及び再送信間の時間間隔フィールドは、前記第１のＴＴＩ基盤で解釈されることができる。
【０１７８】
また、ここで、前記第１のＤＣＩには、前記Ｖ２Ｘプールで許容された送信周期及び前記第１のＴＴＩ基盤の送信が可能な集合された（ａｇｇｒｅｇａｔｅｄ）前記第１のＴＴＩの個数を指示するフィールドが含まれ得る。
【０１７９】
また、ここで、前記Ｖ２Ｘ通信実行の際、前記Ｖ２Ｘプールで許容された送信周期及び前記第１のＴＴＩ基盤の送信が可能な集合された（ａｇｇｒｅｇａｔｅｄ）前記第１のＴＴＩの個数を指示するフィールドに基づいて資源排除を行うことができる。
【０１８０】
また、ここで、前記第１のＴＴＩ基盤のＰＳＣＣＨのサイズが前記第１のＴＴＩ基盤のＰＳＳＣＨ（Ｐｈｙｓｉｃａｌ  Ｓｉｄｅｌｉｎｋ  Ｓｈａｒｅｄ  Ｃｈａｎｎｅｌ）のサイズより大きい場合、前記第１のＴＴＩ基盤のＰＳＣＣＨに前記ＰＳＣＣＨ送信区間に該当する複数個の前記第１のＴＴＩの中に前記ＰＳＳＣＨ送信に使用される第１のＴＴＩのインデックスを指示する指示子が含まれ得る。
【０１８１】
また、ここで、煩雑度（Ｃｏｎｇｅｓｔｉｏｎ  Ｌｅｖｅｌ）別に前記第１のＴＴＩ基盤の送信の許容範囲が異なるように設定されることができる。
【０１８２】
以下では、前述した端末のＶ２Ｘ通信方法の実施形態についてのより具体的な説明を述べる。
【０１８３】
［提案方法］
【０１８４】
以下では、Ｌ−ＰＳＣＣＨに対する、相対的に少ないシンボル個数で構成されたＳ−ＰＳＣＣＨ送信時、ペイロードサイズを減らす方法（例えば、ＲＥＬ−１４  ＵＥは、Ｓ−ＰＳＣＣＨデコーディング不可状況）を提案する。
【０１８５】
（規則＃Ａ）既存のＬ−ＰＳＣＣＨフィールド構成及びＲＢ個数（例えば、２ＲＢ）をＳ−ＰＳＣＣＨがそのまま再使用（ただし、シンボル個数は異なる）し、ＲＥＬ−１４資源プール（Ｌ−ＴＴＩ）上でＳ−ＴＴＩ送信が共存する場合、ＲＥＬ−１４資源プール（Ｌ−ＴＴＩ）を構成するサブチャネルを、予め定義（／シグナリング）された個数にグループ化した後、「サブチャネルグループ単位」に、Ｓ−ＴＴＩ基盤Ｓ−ＰＳＳＣＨ送信をスケジューリングできる。
【０１８６】
このような規則が適用される場合、当該資源プールを構成する全体サブチャネル個数が減った効果を得ることができ、Ｓ−ＰＳＣＣＨ上の「初期送信及び再送信の周波数資源位置（ＦＲＥＱ．ＲＥＳＯＵＲＣＥ  ＬＯＣＡＴＩＯＮ  ＯＦ  ＩＮＩ−ＴＸ＆ＲＥ−ＴＸ）」フィールドサイズが減ることができる。
【０１８７】
言い替えれば、前述したように、資源割当フィールド（例えば、初期送信及び再送信の周波数資源位置フィールド）のサイズは、Ｖ２Ｘ資源プールを構成するサブチャネルの総個数に基づいて決定されることができる。すなわち、前記資源割当フィールドのビット数は、サイドリンクのサブチャネル個数によって変わることができる。ここで、例えば、サブチャネル個数が増加すれば、資源割当フィールドのサイズも増加することができる。
【０１８８】
ここで、Ｓ−ＴＴＩ基盤のＰＳＣＣＨ送信が行われる場合、既存の（例えば、１ｍｓ  ＴＴＩ等）ＰＳＣＣＨ送信に比べてＰＳＣＣＨを構成するシンボルの個数が減ることができるが、このような場合、従来のＰＳＣＣＨ送信の場合と同様な有効コーディング率（あるいは、性能）効果を得るための方法としてＰＳＣＣＨのペイロードのサイズを減らす方法を考慮できる。ここで、前記（規則＃Ａ）のように、サブチャネル単位でない、複数個のサブチャネルが集合されたサブチャネルグループ単位にＰＳＳＣＨスケジューリングを行う場合、サブチャネル個数が減った効果を得ることができ、結果的に、サブチャネル個数に基づいて決定される資源割当フィールドのサイズを減らすことができる。
【０１８９】
以下では、ＭＯＤＥ３基盤のＳｉｄｅｌｉｎｋ（ＳＬ）Ｓ−ＴＴＩ送信スケジューリング方法（ＭＯＤＥ３基盤のＷＡＮ  ＵＬ  Ｓ−ＴＴＩ送信は、ＰＨＡＳＥ２  ＷＩＤに含まれないことと解釈した）を提案する。
【０１９０】
（規則＃Ｂ−１）「ＭＯＤＥ３基盤のＳ−ＴＴＩ送信」スケジューリングに使用されるＤＣＩフォーマット（動的／半静的−スケジューリングＳ−ＤＣＩ（ＤＹＮＡＭＩＣ／ＳＰＳ  Ｓ−ＤＣＩ））と、既存の「ＭＯＤＥ３基盤のＬ−ＴＴＩ送信」スケジューリングに使用されるＤＣＩフォーマット（ＤＹＮＡＭＩＣ／ＳＰＳ  Ｌ−ＤＣＩ）とは、相違した無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）値が設定され得る。
【０１９１】
例えば、仮りに、前記（規則＃Ａ）（すなわち、サブチャネルグループ単位のＳ−ＰＳＳＣＨ送信）がＳ−ＤＣＩに適用されてＳ−ＤＣＩサイズがＬ−ＤＣＩより小さくなるならば、ＤＹＮＡＭＩＣ  Ｓ−ＤＣＩサイズは、「ＭＡＸ｛ＤＣＩ０、ＳＰＳ  Ｓ−ＤＣＩ、ＤＹＮＡＭＩＣ  Ｌ−ＤＣＩ、ＳＰＳ  Ｌ−ＤＣＩ｝」、ＳＰＳ  Ｓ−ＤＣＩサイズは、「ＭＡＸ｛ＤＣＩ０、ＤＹＮＡＭＩＣ  Ｌ−ＤＣＩ、ＳＰＳ  Ｌ−ＤＣＩ｝」に合わせるように設定されることができる。すなわち、ＤＹＮＡＭＩＣ  Ｓ−ＤＣＩサイズは、ＤＣＩ０、ＳＰＳ  Ｓ−ＤＣＩ、ＤＹＮＡＭＩＣ  Ｌ−ＤＣＩ、ＳＰＳ  Ｌ−ＤＣＩのうち、最も大きい値を有することと設定されることができ、ＳＰＳ  Ｓ−ＤＣＩサイズは、ＤＣＩ０、ＤＹＮＡＭＩＣ  Ｌ−ＤＣＩ、ＳＰＳ  Ｌ−ＤＣＩのうち、最も大きい値を有することと設定されることができる。
【０１９２】
ここで、例外的に、「最初送信に対するサブチャネル割当最低インデックス（ＬＯＷＥＳＴ  ＩＮＤＥＸ  ＯＦ  ＳＵＢ−ＣＨＡＮＮＥＬ  ＡＬＬＯＣＡＴＩＯＮ  ＴＯ  ＩＮＩ−ＴＸ）」フィールドサイズは変更されないこと（すなわち、（規則＃Ａ）が適用されない）と設定されることができる。
【０１９３】
言い替えれば、Ｖ２Ｘ通信を行おうとする端末がネットワークからＤＣＩを受信して資源スケジューリングが行われるモード３の場合において、Ｓ−ＴＴＩ送信スケジューリングに使用されるＤＣＩフォーマットに設定されるＲＮＴＩとＬ−ＴＴＩ送信スケジューリングに使用されるＤＣＩフォーマットに設定されるＲＮＴＩとが互いに異なる値を有するように設定することができる。すなわち、端末は、デコーディング過程で前記ＤＣＩフォーマットに設定されたＲＮＴＩを介して前記端末が受信したＤＣＩがＳ−ＴＴＩ送信スケジューリングのためのＤＣＩであるか、Ｌ−ＴＴＩ送信スケジューリングのためのＤＣＩであるかを区分できる。また、ここで、Ｓ−ＴＴＩ送信スケジューリングに使用されるＤＣＩのペイロードのサイズとＬ−ＴＴＩ送信スケジューリングに使用されるＤＣＩのペイロードのサイズとを同様に設定することができ、これを介してＳ−ＴＴＩ基盤の送信とＬ−ＴＴＩ基盤の送信とが共存するＶ２Ｘ資源プール上で端末のブラインドデコーディング回数を減らすことができる。
【０１９４】
また、ここで、前記Ｌ−ＴＴＩ送信スケジューリングに使用されるＤＣＩのペイロードのサイズと前記Ｓ−ＴＴＩ送信スケジューリングに使用されるＤＣＩのペイロードのサイズとを一致させるために、ゼロパディング（ｚｅｒｏ  ｐａｄｄｉｎｇ）などの方法を利用できる。
【０１９５】
（規則＃Ｂ−２）Ｓ−ＤＣＩとＬ−ＤＣＩとが同一ＲＮＴＩにデコーディングされる場合、Ｓ−ＤＣＩ上に当該２つのＤＣＩを区分するためのフラグ（ＦＬＡＧ；例えば、１ビット）が定義され得る。
【０１９６】
ここで、例外的に、ＳＰＳ  Ｓ−ＤＣＩとＳＰＳ  Ｌ−ＤＣＩとが同一ＲＮＴＩにデコーディングされる場合、予め一部「サイドリンク半静的スケジューリング設定インデックス（ＳＬ  ＳＰＳ  ＣＯＮＦＩＧＵＲＡＴＩＯＮ  ＩＮＤＥＸ）」をＳ−ＴＴＩ送信とリンケージさせることにより、追加的なＦＬＡＧ定義なしに区分可能でありうる。
【０１９７】
（規則＃Ｂ−３）Ｓ−ＤＣＩがＬ−ＴＴＩ  ＰＤＣＣＨを介してシグナリングされるので、Ｓ−ＤＣＩ受信後、初期送信が行われる時点決定あるいは「サイドリンクインデックス（ＳＬ  ＩＮＤＥＸ）（ＴＤＤ共有キャリア（ＴＤＤ  ＳＨＡＲＥＤ  ＣＡＲＲＩＥＲ））」フィールド解釈は、Ｌ−ＴＴＩ単位基盤で行われることができる。
【０１９８】
（規則＃Ｂ−４）Ｓ−ＴＴＩのための（一部）端末補助（ＵＥ  ＡＳＳＩＴＡＮＣＥ）情報が（Ｌ−ＴＴＩとは）独立的に報告され得る（例えば、観測されたトラフィックパターン関連メッセージサイズ／推定周期／タイミングオフセット／ＰＰＰＰ（ＰｒｏＳｅ  Ｐｅｒ  Ｐａｃｋｅｔ  Ｐｒｉｏｒｉｔｙ）等）。
【０１９９】
言い替えれば、端末が基地局にモード３スケジューリングのための端末補助情報を送信するとき、Ｓ−ＴＴＩのための端末補助情報とＬ−ＴＴＩのための端末補助情報とを各々独立的に送信することができる。
【０２００】
以下では、資源プール上で、Ｓ−ＴＴＩ／Ｌ−ＴＴＩ基盤の送信が共存するかによって、Ｓ−ＰＳＣＣＨフィールド解釈を異なるようにする方法を提案する。
【０２０１】
（規則＃Ｃ−１）特定資源プール上で、Ｓ−ＴＴＩ／Ｌ−ＴＴＩ基盤の送信が共存（／許容）された場合、特に、Ｌ−ＴＴＩ基盤のＵＥがＳ−ＰＳＣＣＨをデコーディング（Ｓ−ＴＴＩＴＸセンシング目的）できるようにするために、Ｓ−ＰＳＣＣＨフィールド構成／シンボル＆ＲＢ個数をＬ−ＰＳＣＣＨと同様に合わせるならば（このとき、（最小限）Ｓ−ＰＳＳＣＨ上に、Ｓ−ＴＴＩ基盤の送信タイプであることを知らせるフィールドが必要である（例、「留保されたビット（ＲＥＳＥＲＶＥＤ  ＢＩＴ）」活用））、Ｓ−ＴＴＩ基盤のＵＥは、当該Ｓ−ＰＳＣＣＨフィールド解釈をＲＥＬ−１４ＵＥ（Ｌ−ＴＴＩ）と同様にすることができる。
【０２０２】
例えば、「初期送信と再送信間の時間間隔（ＴＩＭＥ  ＧＡＰ  ＢＥＴＷＥＥＮ  ＩＮＩ−ＴＸ＆ＲＥ−ＴＸ）」フィールド値は、Ｌ−ＴＴＩ単位基盤でカウントされることができる。
【０２０３】
また、例えば、Ｓ−ＰＳＣＣＨペイロードサイズを減らすための（規則＃Ａ）が適用されない場合がある（すなわち、「ＦＲＥＱ．ＲＥＳＯＵＲＣＥ  ＬＯＣＡＴＩＯＮ  ＯＦ  ＩＮＩ−ＴＸ＆ＲＥ−ＴＸ」フィールドサイズがＬ−ＴＴＩの場合と同様）。
【０２０４】
（規則＃Ｃ−２）特定資源プール上で、Ｓ−ＴＴＩ基盤の送信のみ許容された場合、Ｓ−ＰＳＣＣＨフィールド構成（／ＲＢ個数）をＬ−ＰＳＣＣＨと同様に合わせるとしても、Ｓ−ＴＴＩ基盤のＵＥが相対的にプロセシング能力が良いとすれば、下記（一部）のフィールド解釈が異なる場合がある（Ｓ−ＴＴＩＵＥ観点）。
【０２０５】
例えば、「ＴＩＭＥ  ＧＡＰ  ＢＥＴＷＥＥＮ  ＩＮ  Ｉ−ＴＸ＆ＲＥ−ＴＸ」フィールド値は、Ｓ−ＴＴＩ単位基盤でカウントされることができる。
【０２０６】
また、例えば、Ｓ−ＰＳＣＣＨペイロードサイズを減らすための（規則＃Ａ）が適用され得る（すなわち、「ＦＲＥＱ．ＲＥＳＯＵＲＣＥ  ＬＯＣＡＴＩＯＮ  ＯＦ  ＩＮＩ−ＴＸ＆ＲＥ−ＴＸ」フィールドサイズがＬ−ＴＴＩの場合に比べて減る）。
【０２０７】
言い替えれば、Ｓ−ＴＴＩ基盤の送信及びＬ−ＴＴＩ基盤の送信が共存する資源プール上では、ＰＳＣＣＨ送信とＰＳＳＣＨ送信に対して各々Ｓ−ＴＴＩ基盤の送信とＬ−ＴＴＩ基盤の送信とが全て支援される。すなわち、例えば、ＰＳＣＣＨ送信は、Ｌ−ＴＴＩ基盤で行われ、ＰＳＳＣＨ送信は、Ｓ−ＴＴＩ基盤で行われることができる。ここで、受信側端末が、前記ＰＳＳＣＨ送信がどのフォーマットないしどのＴＴＩ基盤で送信されたのかを把握できるように、送信側端末は、ＰＳＣＣＨ上の特定フィールドを介して前記ＰＳＳＣＨ送信フォーマットないし前記送信に使用したＴＴＩの形態に関する情報を知らせることができる。このとき、前記送信側端末は、前記情報を留保されたビット（ｒｅｓｅｒｖｅｄ  ｂｉｔｓ）を介して知らせることもできる。または、受信端末側では、ＰＳＳＣＨフォーマットないしＴＴＩ形態がこれをスケジューリングするＰＳＣＣＨフォーマットないしＴＴＩ形態と同様であるとみなすこともできる。
【０２０８】
ここで、Ｓ−ＴＴＩ基盤の送信及びＬ−ＴＴＩ基盤の送信が共存する資源プールでＬ−ＴＴＩ基盤のＰＳＣＣＨと同じフィールド構成及びＲＢ個数を使用してＳ−ＴＴＩ基盤のＰＳＣＣＨを送信する場合、初期送信と再送信との間の時間間隔フィールド値は、Ｌ−ＴＴＩ単位に解釈されることができる。
【０２０９】
一方、Ｓ−ＴＴＩ基盤の送信のみ許容されたＶ２Ｘ資源プール上では、Ｌ−ＴＴＩ基盤のＰＳＣＣＨと同じフィールド構成及びＲＢ個数を使用してＳ−ＴＴＩ基盤のＰＳＣＣＨを送信する場合には、前記初期送信と再送信との間の時間間隔フィールド値は、Ｓ−ＴＴＩ単位に解釈されることができる。このような方法を介してＰＳＳＣＨ再送信の際、資源活用幅をより広めることができる。
【０２１０】
図１３は、（規則＃Ｃ−１）及び（規則＃Ｃ−２）によるＶ２Ｘ通信方法を例示する。
【０２１１】
図１３によれば、Ｎ番目のサブフレームで初期送信としてＰＳＣＣＨはＬ−ＴＴＩ基盤で送信され（図１３のＸ）、ＰＳＳＣＨは、Ｓ−ＴＴＩ基盤で送信（図１３のＡ）される例示を示す。ここで、説明の都合上、Ｌ−ＴＴＩの長さは、１個のサブフレーム長さであり、Ｓ−ＴＴＩの長さは、１個のサブフレーム長さの半分である場合を例に挙げた。
【０２１２】
ここで、Ｎ＋Ｋ番目のサブフレームで前記Ｎ番目のサブフレームの送信に対する再送信が行われるとするとき、前記（規則＃Ｃ−１）によって初期送信と再送信との間の時間間隔フィールド値をＬ−ＴＴＩ基盤で計算する場合には、ＰＳＳＣＨの初期送信がＡで行われたので、ＰＳＳＣＨ再送信は、Ｃのみで送信されることができる。
【０２１３】
それに対し、前記初期送信と再送信との間の時間間隔フィールド値をＳ−ＴＴＩ基盤で計算する場合、ＰＳＳＣＨの初期送信がＡで行われたとしても、ＰＳＳＣＨ再送信は、前記フィールド値に応じてＣだけでなく、Ｄでも送信されることができる。これにより、より精巧な資源割当が行われ得る。
【０２１４】
また、本発明においては、次の構成が考慮され得る。
【０２１５】
Ｓ−ＰＳＳＣＨ構成シンボル個数、あるいはＰＳＳＣＨ送信に使用されるＳ−ＴＴＩ個数の動的変更を支援するために、Ｓ−ＰＳＣＣＨ／Ｓ−ＤＣＩ上に、当該個数情報フィールドが定義され得る。
【０２１６】
例えば、端末が特定Ｓ−ＴＴＩ時点上でＳ−ＰＳＣＣＨモニタリングを行えなかったならば、当該プールで許容された送信周期／アグリゲーションされた（ＡＧＧＲＥＧＡＴＥＤ）Ｓ−ＴＴＩ個数（＆Ｓ−ＰＳＳＣＨ構成シンボル個数）を考慮して、（Ｓ−）ＰＳＳＣＨ−ＲＳＲＰ基盤のステップ２（ＳＴＥＰ２）動作を行うように設定されることができる。
【０２１７】
言い替えれば、端末は、特定資源上で受信されたＰＳＳＣＨ  ＲＳＲＰが閾値以上である資源を前記Ｖ２Ｘ通信のための資源選択の際に除外することができる。ここで、Ｓ−ＴＴＩ基盤のＶ２Ｘ通信が許容されたＶ２Ｘ資源プール上で、端末が特定Ｓ−ＴＴＩ上でセンシングまたはＰＳＣＣＨモニタリングを行えなかった場合、当該プールで許容された資源送信周期と複数個のＳ−ＴＴＩ基盤の送信が許容されるＳ−ＴＴＩの集成個数（ａｇｇｒｅｇａｔｅｄ  Ｓ−ＴＴＩ個数）を考慮して送信資源選択の際、該当する資源を排除させることができる。
【０２１８】
図１４は、本発明の一実施形態に係る、Ｖ２Ｘ通信のためのＶ２Ｘ資源プール上の資源排除方法を例示する。
【０２１９】
図１４によれば、端末がＶ２Ｘ資源プール上でセンシングを行う区間（すなわち、センシングウィンドウ）と前記センシングに基づいてＶ２Ｘ通信を行う資源を選択する区間（すなわち、選択ウィンドウ）とが図示されている。ここで、前記図１４では、説明の都合上、Ｓ−ＴＴＩの長さは、１個のサブフレーム長さの半分である場合を例に挙げた。
【０２２０】
ここで、端末は、前記センシングウィンドウにおけるセンシングに基づいて、前記選択ウィンドウで資源を選択してＶ２Ｘ通信を行うことができる。
【０２２１】
ここで、例えば、前記Ｖ２Ｘ資源プールでＳ−ＴＴＩ基盤の送信が許容され、端末がＡに該当するＳ−ＴＴＩをモニタリングまたはセンシングできなかった場合、仮りに、前記資源プールで許容された送信周期に該当するＳ−ＴＴＩが各々ＣとＧであり、Ｓ−ＴＴＩ基盤の通信が許容されるＳ−ＴＴＩ集成個数（ａｇｇｒｅｇａｔｅｄ  Ｓ−ＴＴＩ個数）が３個であれば、前記端末は、最大にＣ、Ｄ、Ｅに該当する資源及びＧ、Ｈ、Ｉに該当する資源を資源選択の際に排除することができる。
【０２２２】
また、例えば、ＰＳＣＣＨ／ＰＳＳＣＨ  ＦＤＭ環境下で、Ｓ−ＰＳＣＣＨ長さ（例、２個のＳ−ＴＴＩ長さ）がＳ−ＰＳＳＣＨ長さ（例、１個のＳ−ＴＴＩ長さ）より大きければ、Ｓ−ＰＳＣＣＨ上で、Ｓ−ＰＳＣＣＨ送信区間に属する複数個のＳ−ＴＴＩのうち、何番目のＳ−ＴＴＩがＳ−ＰＳＳＣＨ送信に使用されるかを知らせる指示子が必要でありうる。
【０２２３】
言い替えれば、例えば、ＰＳＳＣＨの長さは、１個のＳ−ＴＴＩ長さで構成され、ＰＳＣＣＨの長さは、２個のＳ−ＴＴＩ長さで構成された場合、前記ＰＳＳＣＨ送信区間が１番目のＳ−ＴＴＩと２番目のＳ−ＴＴＩのうち、何番目のＳ−ＴＴＩに該当するかを知らせる指示子が前記ＰＳＣＣＨに含まれ得る。
【０２２４】
また、煩雑度（ＣＯＮＧＥＳＴＩＯＮ  ＬＥＶＥＬ；例えば、ＣＢＲ）別にＴＴＩ長さ許容範囲が異なるように設定（／シグナリング）されることもできる。
【０２２５】
上記説明した提案方式に対する一例も本発明の実現方法のうち１つとして含まれることができるので、一種の提案方式とみなされることができることは明白な事実である。また、上記説明した提案方式は、独立的に実現されることができるが、一部提案方式の組み合わせ（あるいは、併合）形態で実現されることもできる。
【０２２６】
一例に、本発明においては、説明の都合上、３ＧＰＰ  ＬＴＥシステムに基づいて提案方式を説明したが、提案方式が適用されるシステムの範囲は、３ＧＰＰ  ＬＴＥシステムの他に、他のシステムへも拡張可能である。
【０２２７】
一例に、本発明の提案方式は、Ｄ２Ｄ通信のためにも拡張適用可能である。ここで、一例に、Ｄ２Ｄ通信は、ＵＥが他のＵＥと直接無線チャネルを用いて通信することを意味し、ここで、一例に、ＵＥは、ユーザの端末を意味するが、基地局のようなネットワーク装備がＵＥ間の通信方式によって信号を送受信する場合には、やはり一種のＵＥとみなされることができる。また、一例に、本発明の提案方式は、ＭＯＤＥ３  Ｖ２Ｘ動作（そして／あるいは、ＭＯＤＥ４  Ｖ２Ｘ動作）にのみ限定的に適用されることもできる。また、一例に、本発明の提案方式は、予め設定（／シグナリング）された（特定）Ｖ２Ｘチャネル（／シグナル）送信（例えば、ＰＳＳＣＨ（そして／あるいは、（連動された）ＰＳＣＣＨ、そして／あるいは、ＰＳＢＣＨ））にのみ限定的に適用されることもできる。また、一例に、本発明の提案方式は、ＰＳＳＣＨと（連動された）ＰＳＣＣＨが（周波数領域上で）隣接（ＡＤＪＡＣＥＮＴ）（そして／あるいは、離間（ＮＯＮ−ＡＤＪＡＣＥＮＴ））して送信される場合（そして／あるいは、予め設定（／シグナリング）されたＭＣＳ（そして／あるいは、コーディングレート、そして／あるいは、ＲＢ）（値（／範囲））基盤の送信が行われる場合）にのみ限定的に適用されることもできる。また、一例に、本発明の提案方式は、ＭＯＤＥ＃３（そして／あるいは、ＭＯＤＥ＃４）Ｖ２Ｘ  ＣＡＲＲＩＥＲ（そして／あるいは、（ＭＯＤＥ＃４（／３））  ＳＬ（／ＵＬ）ＳＰＳ（そして／あるいは、ＳＬ（／ＵＬ）ＤＹＮＡＭＩＣ  ＳＣＨＥＤＵＬＩＮＧ）ＣＡＲＲＩＥＲ）間にのみ限定的に適用されることもできる。また、一例に、本発明の提案方式は、搬送波（ＣＡＲＲＩＥＲ）間に同期シグナル（送信（そして／あるいは、受信））資源位置、そして／あるいは、個数（そして／あるいは、Ｖ２Ｘ資源プール関連サブフレーム位置、そして／あるいは、個数（そして／あるいは、サブチャネルサイズ、そして／あるいは、個数））が同じ（そして／あるいは、（一部）相違した）場合にのみ（限定的に）適用されることもできる。
【０２２８】
図１５は、本発明の実施形態が実現される通信装置を示したブロック図である。
【０２２９】
図１５に示すように、基地局１００は、プロセッサ（ｐｒｏｃｅｓｓｏｒ、１１０）、メモリ（ｍｅｍｏｒｙ、１２０）、及びトランシーバー（ｔｒａｎｓｃｅｉｖｅｒ、１３０）を備える。プロセッサ１１０は、提案された機能、過程、及び／又は方法を実現する。メモリ１２０は、プロセッサ１１０と連結されて、プロセッサ１１０を駆動するための様々な情報を格納する。トランシーバー１３０は、プロセッサ１１０と連結されて、無線信号を送信及び／又は受信する。
【０２３０】
端末２００は、プロセッサ２１０、メモリ２２０、及びＲＦ部２３０を備える。プロセッサ２１０は、提案された機能、過程、及び／又は方法を実現する。メモリ２２０は、プロセッサ２１０と連結されて、プロセッサ２１０を駆動するための様々な情報を格納する。トランシーバー２３０は、プロセッサ２１０と連結されて、無線信号を送信及び／又は受信する。端末２００は、他の端末に前述した方法によってＶ２Ｘ通信を行うことができる。
【０２３１】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置、及び／又はベースバンド信号及び無線信号を相互変換する変喚器を備えることができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。トランシーバー１３０、２３０は、無線信号を送信及び／又は受信する１つ以上のアンテナを備えることができる。実施形態がソフトウェアで実現されるとき、上述した技法は、上述した機能を果たすモジュール（過程、機能など）で実現されることができる。モジュールは、メモリ１２０、２２０に格納され、プロセッサ１１０、２１０により実行されることができる。メモリ１２０、２２０は、プロセッサ１１０、２１０の内部または外部にあることができ、よく知られた様々な手段にてプロセッサ１１０、２１０と連結されることができる。
【０２３２】
図１６は、プロセッサに含まれる装置の一例を示すブロック図である。
【０２３３】
図１６によれば、プロセッサは、機能的な側面でＤＣＩ受信部１６１０、Ｖ２Ｘ通信部１６２０で構成されることができる。ここで、前記プロセッサは、図１５のプロセッサ１１０、２１０でありうる。
【０２３４】
ここで、ＤＣＩ受信部は、基地局からＰＤＣＣＨを介して前記第１のＴＴＩ基盤の第１のＤＣＩ及び前記第２のＴＴＩ基盤の第２のＤＣＩのうち、少なくとも１つのＤＣＩを受信する機能を有することができる。また、ここで、Ｖ２Ｘ通信部は、前記少なくとも１つのＤＣＩに基づいて、前記第１のＴＴＩ基盤の送信及び前記第２のＴＴＩ基盤の送信のうち１つの方式で前記Ｖ２Ｘ通信を行う機能を有することができる。
【０２３５】
前記記載したプロセッサに含まれる装置についての説明は、１つの例示であり、プロセッサは、他の機能的な要素ないし装置をさらに含むことができる。また、前記記載した各機能的な装置が実行する動作についての具体的な例は、前述したとおりであるから、これについての重複する説明は省略する。
【図１】
0006907330.tif 000011
【図２】
0006907330.tif 000012
【図３】
0006907330.tif 000013
【図４】
0006907330.tif 000014
【図５】
0006907330.tif 000015
【図６】
0006907330.tif 000016
【図７】
0006907330.tif 000017
【図８】
0006907330.tif 000018
【図９】
0006907330.tif 000019
【図１０】
0006907330.tif 000020
【図１１】
0006907330.tif 000021
【図１２】
0006907330.tif 000022
【図１３】
0006907330.tif 000023
【図１４】
0006907330.tif 000024
【図１５】
0006907330.tif 000025
【図１６】
0006907330.tif 000026